(57)【要約】  本出願は情報伝送方法および関連装置を開示する。これにより、高速ＨＡＲＱ−ＡＣＫフィードバックと高速再送とを可能にし、ＨＡＲＱタイミングが柔軟であるために異なるサブフレームにおけるアップリンク制御情報が異なるリソースを必要とするという問題に柔軟に対処し、ＦＤＤシステムおよびＴＤＤシステムの両方における適用性を保証する。本出願の方法は、端末デバイスが、ダウンリンク制御情報を受信する段階であって、ダウンリンク制御情報は第１の情報を含み、第１の情報は、アップリンク制御情報を搬送するシンボルを示すために使用される、段階と、端末デバイスが、アップリンク制御情報を搬送するシンボルを第１の情報に基づいて決定する段階と、端末デバイスが、アップリンク制御情報を搬送するシンボルにアップリンク制御情報をマッピングし、アップリンク制御情報をネットワークデバイスに送信する段階とを備える。
2019527971.tif 000002
【特許請求の範囲】
【請求項１】
情報伝送方法であって、
端末デバイスが、ダウンリンク制御情報を受信する段階であって、前記ダウンリンク制御情報は第１の情報を含み、前記第１の情報は、アップリンク制御情報を搬送するシンボルを示すために使用される、段階と、
前記端末デバイスが、前記アップリンク制御情報を搬送する前記シンボルを前記第１の情報に基づいて決定する段階と、
前記端末デバイスが、前記アップリンク制御情報を搬送する前記シンボルに前記アップリンク制御情報をマッピングし、前記アップリンク制御情報をネットワークデバイスに送信する段階と
を備える
方法。
【請求項２】
前記ダウンリンク制御情報は第２の情報をさらに含み、前記第２の情報は、前記アップリンク制御情報を搬送するサブフレームを示すために使用され、前記端末デバイスが、前記アップリンク制御情報を搬送する前記シンボルを前記第１の情報に基づいて決定する前記段階は、
前記端末デバイスが、前記アップリンク制御情報を搬送する前記サブフレームを前記第２の情報に基づいて決定する段階と、
前記端末デバイスが、前記アップリンク制御情報を搬送する前記サブフレームにおける、前記アップリンク制御情報を搬送する前記シンボルを前記第１の情報に基づいて決定する段階と
を有する、
請求項１に記載の方法。
【請求項３】
前記ダウンリンク制御情報は第３の情報をさらに含み、前記第３の情報は、前記アップリンク制御情報を搬送する前記シンボルにおける、前記アップリンク制御情報を搬送するアップリンク制御チャネルに対応する周波数領域リソースおよび／または符号リソースを示すために使用される、
請求項１または２に記載の方法。
【請求項４】
前記アップリンク制御情報を搬送する前記シンボルは、前記アップリンク制御情報を搬送する開始シンボルである、
請求項１から３のいずれか一項に記載の方法。
【請求項５】
前記ダウンリンク制御情報は第４の情報をさらに含み、前記第４の情報は、前記アップリンク制御情報を搬送する終了シンボルを示すために使用され、前記方法は、
前記端末デバイスが、前記アップリンク制御情報を搬送する前記終了シンボルを前記第４の情報に基づいて決定する段階をさらに備える、
請求項１から４のいずれか一項に記載の方法。
【請求項６】
前記第１の情報は２ビットの情報フィールドに対応しており、前記端末デバイスが、前記アップリンク制御情報を搬送する前記シンボルを前記第１の情報に基づいて決定する前記段階は、
前記第１の情報に対応する前記２ビットの情報フィールドが００である場合、前記端末デバイスが、前記アップリンク制御情報を搬送する前記シンボルは前記アップリンク制御情報を搬送する前記サブフレームにおける最後のシンボルであると決定する段階、
前記第１の情報に対応する前記２ビットの情報フィールドが０１である場合、前記端末デバイスが、前記アップリンク制御情報を搬送する前記シンボルは前記アップリンク制御情報を搬送する前記サブフレームにおける最後から２番目のシンボルであると決定する段階、
前記第１の情報に対応する前記２ビットの情報フィールドが１０である場合、前記端末デバイスが、前記アップリンク制御情報を搬送する前記シンボルは前記アップリンク制御情報を搬送する前記サブフレームにおける２番目のシンボルであると決定する段階、または、
前記第１の情報に対応する前記２ビットの情報フィールドが１１である場合、前記端末デバイスが、前記アップリンク制御情報を搬送する前記シンボルは前記アップリンク制御情報を搬送する前記サブフレームにおける３番目のシンボルであると決定する段階
を有する、
請求項１から５のいずれか一項に記載の方法。
【請求項７】
前記第１の情報は３ビットの情報フィールドに対応しており、前記アップリンク制御情報を搬送する前記サブフレームは７つのシンボルを含むか、または、
前記第１の情報は４ビットの情報フィールドに対応しており、前記アップリンク制御情報を搬送する前記サブフレームは１４個のシンボルを含む、
請求項１から５のいずれか一項に記載の方法。
【請求項８】
前記ダウンリンク制御情報は、ダウンリンク共有チャネル伝送をスケジューリングするために使用され、前記アップリンク制御情報は、前記ダウンリンク共有チャネル伝送に対応するハイブリッド自動再送要求である、
請求項１から７のいずれか一項に記載の方法。
【請求項９】
前記ダウンリンク制御情報を搬送するサブフレームは第４のサブフレームタイプであり、前記ダウンリンク共有チャネル伝送を搬送するサブフレームは第３のサブフレームタイプであり、前記第３のサブフレームタイプおよび前記第４のサブフレームタイプは共に、ダウンリンク伝送に使用されるシンボル、ガード期間、およびアップリンク伝送に使用されるシンボルを含む、
請求項８に記載の方法。
【請求項１０】
前記ダウンリンク制御情報はサブフレームｎにおいて搬送され、前記ダウンリンク共有チャネル伝送はサブフレームｎ＋ｋ１において搬送され、前記アップリンク制御情報はサブフレームｎ＋ｋ１＋ｋ０において搬送され、ｋ１は、１より大きいかまたはそれに等しい整数であり、ｋ０は、０より大きいかまたはそれに等しい整数である、
請求項８に記載の方法。
【請求項１１】
前記ダウンリンク制御情報は第５の情報をさらに含み、前記第５の情報は、チャネル状態情報の報告を誘発するために使用され、前記アップリンク制御情報は前記チャネル状態情報である、
請求項１から７のいずれか一項に記載の方法。
【請求項１２】
情報伝送方法であって
ネットワークデバイスが、ダウンリンク制御情報を送信する段階であって、前記ダウンリンク制御情報は第１の情報を含み、前記第１の情報は、アップリンク制御情報を搬送するシンボルを示すために使用される、段階と、
前記ネットワークデバイスが、端末デバイスが送信した前記アップリンク制御情報を、前記アップリンク制御情報を搬送する前記シンボルにおいて受信する段階と
を備える
方法。
【請求項１３】
前記ダウンリンク制御情報は第２の情報をさらに含み、前記第２の情報は、前記アップリンク制御情報を搬送するサブフレームを示すために使用され、前記アップリンク制御情報を搬送する前記シンボルは、前記アップリンク制御情報を搬送する前記サブフレームにおけるシンボルである、
請求項１２に記載の方法。
【請求項１４】
前記ダウンリンク制御情報は第３の情報をさらに含み、前記第３の情報は、前記アップリンク制御情報を搬送する前記シンボルにおける、前記アップリンク制御情報を搬送するアップリンク制御チャネルに対応する周波数領域リソースおよび／または符号リソースを示すために使用される、
請求項１２または１３に記載の方法。
【請求項１５】
前記アップリンク制御情報を搬送する前記シンボルは、前記アップリンク制御情報を搬送する開始シンボルである、
請求項１２から１４のいずれか一項に記載の方法。
【請求項１６】
前記ダウンリンク制御情報は第４の情報を含み、前記第４の情報は、前記アップリンク制御情報を搬送する終了シンボルを示すために使用される、
請求項１５に記載の方法。
【請求項１７】
前記第１の情報は２ビットの情報フィールドに対応しており、
前記アップリンク制御情報を搬送する前記シンボルは、
前記第１の情報に対応する前記２ビットの情報フィールドが００である場合、前記アップリンク制御情報を搬送する前記シンボルは、前記アップリンク制御情報を搬送する前記サブフレームにおける最後のシンボルであり、
前記第１の情報に対応する前記２ビットの情報フィールドが０１である場合、前記アップリンク制御情報を搬送する前記シンボルは、前記アップリンク制御情報を搬送する前記サブフレームにおける最後のシンボルの前のシンボルであり、
前記第１の情報に対応する前記２ビットの情報フィールドが１０である場合、前記アップリンク制御情報を搬送する前記シンボルは、前記アップリンク制御情報を搬送する前記サブフレームにおける２番目のシンボルであり、または、
前記第１の情報に対応する前記２ビットの情報フィールドが１１である場合、前記アップリンク制御情報を搬送する前記シンボルは、前記アップリンク制御情報を搬送する前記サブフレームにおける３番目のシンボルである、
請求項１２から１６のいずれか一項に記載の方法。
【請求項１８】
前記第１の情報は３ビットの情報フィールドに対応しており、前記アップリンク制御情報を搬送する前記サブフレームは７つのシンボルを含むか、または、
前記第１の情報は４ビットの情報フィールドに対応しており、前記アップリンク制御情報を搬送する前記サブフレームは１４個のシンボルを含む、
請求項１２から１６のいずれか一項に記載の方法。
【請求項１９】
前記ダウンリンク制御情報は、ダウンリンク共有チャネル伝送をスケジューリングするために使用され、前記アップリンク制御情報は、前記ダウンリンク共有チャネル伝送に対応するハイブリッド自動再送要求である、
請求項１２から１８のいずれか一項に記載の方法。
【請求項２０】
前記ダウンリンク制御情報を搬送するサブフレームは第４のサブフレームタイプであり、前記ダウンリンク共有チャネル伝送を搬送するサブフレームは第３のサブフレームタイプであり、前記第３のサブフレームタイプおよび前記第４のサブフレームタイプは共に、ダウンリンク伝送に使用されるシンボル、ガード期間、およびアップリンク伝送に使用されるシンボルを含む、
請求項１９に記載の方法。
【請求項２１】
前記ダウンリンク制御情報はサブフレームｎにおいて搬送され、前記ダウンリンク共有チャネル伝送はサブフレームｎ＋ｋ１において搬送され、前記アップリンク制御情報はサブフレームｎ＋ｋ１＋ｋ０において搬送され、ｋ１は、１より大きいかまたはそれに等しい整数であり、ｋ０は、０より大きいかまたはそれに等しい整数である、
請求項１９に記載の方法。
【請求項２２】
前記ダウンリンク制御情報は第５の情報を含み、前記第５の情報は、チャネル状態情報の報告を誘発するために使用され、前記アップリンク制御情報は前記チャネル状態情報である、
請求項１２から１８のいずれか一項に記載の方法。
【請求項２３】
情報伝送装置であって、
ダウンリンク制御情報を受信するよう構成される送受信ユニットであって、前記ダウンリンク制御情報は第１の情報を含み、前記第１の情報は、アップリンク制御情報を搬送するシンボルを示すために使用される、送受信ユニットと、
前記アップリンク制御情報を搬送する前記シンボルを前記第１の情報に基づいて決定するよう構成される処理ユニットと
を備え、
前記処理ユニットはさらに、前記アップリンク制御情報を搬送する前記シンボルに前記アップリンク制御情報をマッピングし、前記送受信ユニットを使用することによって前記アップリンク制御情報をネットワークデバイスに送信するよう構成される、
装置。
【請求項２４】
前記ダウンリンク制御情報は第２の情報をさらに含み、前記第２の情報は、前記アップリンク制御情報を搬送するサブフレームを示すために使用され、前記処理ユニットが、前記アップリンク制御情報を搬送する前記シンボルを前記第１の情報に基づいて決定するよう構成されることは、
前記処理ユニットが、前記アップリンク制御情報を搬送する前記サブフレームを前記第２の情報に基づいて決定し、
前記アップリンク制御情報を搬送する前記サブフレームにおける、前記アップリンク制御情報を搬送する前記シンボルを前記第１の情報に基づいて決定するよう構成されることを含む、
請求項２３に記載の装置。
【請求項２５】
前記ダウンリンク制御情報は第３の情報をさらに含み、前記第３の情報は、前記アップリンク制御情報を搬送する前記シンボルにおける、前記アップリンク制御情報を搬送するアップリンク制御チャネルに対応する周波数領域リソースおよび／または符号リソースを示すために使用される、
請求項２３または２４に記載の装置。
【請求項２６】
前記アップリンク制御情報を搬送する前記シンボルは、前記アップリンク制御情報を搬送する開始シンボルである、
請求項２３から２５のいずれか一項に記載の装置。
【請求項２７】
前記ダウンリンク制御情報は第４の情報をさらに含み、前記第４の情報は、前記アップリンク制御情報を搬送する終了シンボルを示すために使用され、前記処理ユニットはさらに、
前記アップリンク制御情報を搬送する前記終了シンボルを前記第４の情報に基づいて決定するよう構成される、
請求項２３から２６のいずれか一項に記載の装置。
【請求項２８】
前記第１の情報は２ビットの情報フィールドに対応しており、前記処理ユニットが、前記アップリンク制御情報を搬送する前記シンボルを前記第１の情報に基づいて決定するよう構成されることは、
前記処理ユニットが、
前記第１の情報に対応する前記２ビットの情報フィールドが００である場合、前記アップリンク制御情報を搬送する前記シンボルは前記アップリンク制御情報を搬送する前記サブフレームにおける最後のシンボルであると決定し、
前記第１の情報に対応する前記２ビットの情報フィールドが０１である場合、前記アップリンク制御情報を搬送する前記シンボルは前記アップリンク制御情報を搬送する前記サブフレームにおける最後から２番目のシンボルであると決定し、
前記第１の情報に対応する前記２ビットの情報フィールドが１０である場合、前記アップリンク制御情報を搬送する前記シンボルは前記アップリンク制御情報を搬送する前記サブフレームにおける２番目のシンボルであると決定し、または、
前記第１の情報に対応する前記２ビットの情報フィールドが１１である場合、前記アップリンク制御情報を搬送する前記シンボルは前記アップリンク制御情報を搬送する前記サブフレームにおける３番目のシンボルであると決定するよう構成されることを含む、
請求項２３から２７のいずれか一項に記載の装置。
【請求項２９】
前記第１の情報は３ビットの情報フィールドに対応しており、前記アップリンク制御情報を搬送する前記サブフレームは７つのシンボルを含むか、または、
前記第１の情報は４ビットの情報フィールドに対応しており、前記アップリンク制御情報を搬送する前記サブフレームは、１４個のシンボルを含む、
請求項２３から２７のいずれか一項に記載の装置。
【請求項３０】
前記ダウンリンク制御情報は、ダウンリンク共有チャネル伝送をスケジューリングするために使用され、前記アップリンク制御情報は、前記ダウンリンク共有チャネル伝送に対応するハイブリッド自動再送要求である、
請求項２３から２９のいずれか一項に記載の装置。
【請求項３１】
前記ダウンリンク制御情報を搬送するサブフレームは第４のサブフレームタイプであり、前記ダウンリンク共有チャネル伝送を搬送するサブフレームは第３のサブフレームタイプであり、前記第３のサブフレームタイプおよび前記第４のサブフレームタイプは共に、ダウンリンク伝送に使用されるシンボル、ガード期間、およびアップリンク伝送に使用されるシンボルを含む、
請求項３０に記載の装置。
【請求項３２】
前記ダウンリンク制御情報はサブフレームｎにおいて搬送され、前記ダウンリンク共有チャネル伝送はサブフレームｎ＋ｋ１において搬送され、前記アップリンク制御情報はサブフレームｎ＋ｋ１＋ｋ０において搬送され、ｋ１は、１より大きいかまたはそれに等しい整数であり、ｋ０は、０より大きいかまたはそれに等しい整数である、
請求項３０に記載の装置。
【請求項３３】
前記ダウンリンク制御情報は第５の情報をさらに含み、前記第５の情報は、チャネル状態情報の報告を誘発するために使用され、前記アップリンク制御情報は前記チャネル状態情報である、
請求項２３から２９のいずれか一項に記載の装置。
【請求項３４】
情報伝送装置であって、
ダウンリンク制御情報を送信するよう構成される送受信ユニットであって、前記ダウンリンク制御情報は第１の情報を含み、前記第１の情報は、アップリンク制御情報を搬送するシンボルを示すために使用される、送受信ユニットと、
端末デバイスが送信した前記アップリンク制御情報を、前記アップリンク制御情報を搬送する前記シンボルにおいて、前記送受信ユニットを使用することによって受信するよう構成される処理ユニットと
を備える
装置。
【請求項３５】
前記ダウンリンク制御情報は第２の情報をさらに含み、前記第２の情報は、前記アップリンク制御情報を搬送するサブフレームを示すために使用され、前記アップリンク制御情報を搬送する前記シンボルは、前記アップリンク制御情報を搬送する前記サブフレームにおけるシンボルである、
請求項３４に記載の装置。
【請求項３６】
前記ダウンリンク制御情報は第３の情報をさらに含み、前記第３の情報は、前記アップリンク制御情報を搬送する前記シンボルにおける、前記アップリンク制御情報を搬送するアップリンク制御チャネルに対応する周波数領域リソースおよび／または符号リソースを示すために使用される、
請求項３４または３５に記載の装置。
【請求項３７】
前記アップリンク制御情報を搬送する前記シンボルは、前記アップリンク制御情報を搬送する開始シンボルである、
請求項３４から３６のいずれか一項に記載の装置。
【請求項３８】
前記ダウンリンク制御情報は第４の情報を含み、前記第４の情報は、前記アップリンク制御情報を搬送する終了シンボルを示すために使用される、
請求項３７に記載の装置。
【請求項３９】
前記第１の情報は２ビットの情報フィールドに対応しており、
前記アップリンク制御情報を搬送する前記シンボルは、
前記第１の情報に対応する前記２ビットの情報フィールドが００である場合、前記アップリンク制御情報を搬送する前記シンボルは、前記アップリンク制御情報を搬送する前記サブフレームにおける最後のシンボルであり、
前記第１の情報に対応する前記２ビットの情報フィールドが０１である場合、前記アップリンク制御情報を搬送する前記シンボルは、前記アップリンク制御情報を搬送する前記サブフレームにおける最後のシンボルの前のシンボルであり、
前記第１の情報に対応する前記２ビットの情報フィールドが１０である場合、前記アップリンク制御情報を搬送する前記シンボルは、前記アップリンク制御情報を搬送する前記サブフレームにおける２番目のシンボルであり、または、
前記第１の情報に対応する前記２ビットの情報フィールドが１１である場合、前記アップリンク制御情報を搬送する前記シンボルは、前記アップリンク制御情報を搬送する前記サブフレームにおける３番目のシンボルである、
請求項３６から３８のいずれか一項に記載の装置。
【請求項４０】
前記第１の情報は３ビットの情報フィールドに対応しており、前記アップリンク制御情報を搬送する前記サブフレームは７つのシンボルを含むか、または、
前記第１の情報は４ビットの情報フィールドに対応しており、前記アップリンク制御情報を搬送する前記サブフレームは１４個のシンボルを含む、
請求項３４から３８のいずれか一項に記載の装置。
【請求項４１】
前記ダウンリンク制御情報は、ダウンリンク共有チャネル伝送をスケジューリングするために使用され、前記アップリンク制御情報は、前記ダウンリンク共有チャネル伝送に対応するハイブリッド自動再送要求である、
請求項３６から４０のいずれか一項に記載の装置。
【請求項４２】
前記ダウンリンク制御情報を搬送するサブフレームは第４のサブフレームタイプであり、前記ダウンリンク共有チャネル伝送を搬送するサブフレームは第３のサブフレームタイプであり、前記第３のサブフレームタイプおよび前記第４のサブフレームタイプは共に、ダウンリンク伝送に使用されるシンボル、ガード期間、およびアップリンク伝送に使用されるシンボルを含む、
請求項４１に記載の装置。
【請求項４３】
前記ダウンリンク制御情報はサブフレームｎにおいて搬送され、前記ダウンリンク共有チャネル伝送はサブフレームｎ＋ｋ１において搬送され、前記アップリンク制御情報は、サブフレームｎ＋ｋ１＋ｋ０において搬送され、ｋ１は、１より大きいかまたはそれに等しい整数であり、ｋ０は、０より大きいかまたはそれに等しい整数である、
請求項４１に記載の装置。
【請求項４４】
前記ダウンリンク制御情報は第５の情報を含み、前記第５の情報は、チャネル状態情報の報告を誘発するために使用され、前記アップリンク制御情報は前記チャネル状態情報である、
請求項３４から４１のいずれか一項に記載の装置。
【請求項４５】
プロセッサおよびメモリを備える通信装置であって、前記メモリはコンピュータ命令を記憶し、前記プロセッサが前記メモリに記憶された前記コンピュータ命令を実行することにより、前記装置は請求項１から２２のいずれか一項に記載の方法を実装する、
通信装置。
【請求項４６】
コンピュータ記憶媒体であって、前記コンピュータ記憶媒体にコンピュータプログラムが記憶され、前記プログラムをプロセッサが実行して請求項１から２２のいずれか一項に記載の方法が実装される、
コンピュータ記憶媒体。
【請求項４７】
命令を含むコンピュータプログラム製品であって、前記命令がコンピュータ上で実行されたとき、前記コンピュータは請求項１から２２のいずれか一項に記載の方法を行う、
コンピュータプログラム製品。
【発明の詳細な説明】
【技術分野】
【０００１】
本出願は、２０１６年８月１０日に中国特許庁に出願された、「情報伝送方法および関連装置」と題する中国特許出願第２０１６１０６５７７１１．５号に基づく優先権を主張し、その全体が参照により本明細書に組み込まれる。
【０００２】
本出願は、通信分野に関し、特には、情報伝送方法および関連装置に関する。
【背景技術】
【０００３】
第５世代通信システムまたは新無線（英語：Ｎｅｗ  Ｒａｄｉｏ、ＮＲ）通信システムが、より高いシステム性能をサポートすることに取り組んでおり、種々のサービス、種々の展開シナリオ、および種々のスペクトルをサポートするであろう。種々のサービスには、高速大容量モバイルブロードバンド（英語：Ｅｎｈａｎｃｅｄ  Ｍｏｂｉｌｅ  Ｂｒｏａｄｂａｎｄ、ｅＭＢＢ）、マシンタイプ通信（英語：Ｍａｃｈｉｎｅ  Ｔｙｐｅ  Ｃｏｍｍｕｎｉｃａｔｉｏｎ、ＭＴＣ）、超高信頼性低遅延通信（英語：Ｕｌｔｒａ−ｒｅｌｉａｂｌｅ  ａｎｄ  ｌｏｗ  ｌａｔｅｎｃｙ  ｃｏｍｍｕｎｉｃａｔｉｏｎｓ、ＵＲＬＬＣ）、マルチメディアブロードキャストマルチキャストサービス（英語：Ｍｕｌｔｉｍｅｄｉａ  Ｂｒｏａｄｃａｓｔ  Ｍｕｌｔｉｃａｓｔ  Ｓｅｒｖｉｃｅ、ＭＢＭＳ）、および測位等が挙げられる。種々の展開シナリオには、屋内ホットスポット（英語：Ｉｎｄｏｏｒ  ｈｏｔｓｐｏｔ）、密集都市部（英語：Ｄｅｎｓｅ  ｕｒｂａｎ）、郊外、都市部（英語：Ｕｒｂａｎ  Ｍａｃｒｏ）、および、高速鉄道等のようなシナリオが挙げられる。５Ｇは、１００ＧＨｚまでのスペクトル範囲をサポートするであろう。
【０００４】
動的時分割複信（英語：Ｔｉｍｅ  Ｄｉｖｉｓｉｏｎ  Ｄｕｐｌｅｘ、ＴＤＤ）は、ＮＲ通信システムにおいて重要な技術である。当該技術は、サブフレームの伝送方向を動的に調整することによってリアルタイムのサービス要件によりよく適合し、それによって、通信システムのスペクトル効率が向上し、また、低遅延のサービス要件をよりよく満たす。ＮＲ通信システムは、動的ＴＤＤをより有効に活用できるように設計される必要がある。
【０００５】
第５世代システムは、周波数分割複信（英語：Ｆｒｅｑｕｅｎｃｙ  Ｄｉｖｉｓｉｏｎ  Ｄｕｐｌｅｘ、ＦＤＤ）システムおよびＴＤＤシステムをサポートするであろう。ＦＤＤシステムおよびＴＤＤシステムは共に、第５世代システムの性能指標を満たす必要がある。特に、ＦＤＤシステムおよびＴＤＤシステムは共に低遅延性を満たす必要がある。すなわち、高速ハイブリッド自動再送要求（英語：Ｈｙｂｒｉｄ  Ａｕｔｏｍａｔｉｃ  Ｒｅｐｅａｔ  Ｒｅｑｕｅｓｔ、ＨＡＲＱ）フィードバックおよび高速再送をサポートする必要がある。ＦＤＤシステムおよびＴＤＤシステムはまた、柔軟なＨＡＲＱタイミングをサポートする必要がある。システム設計を簡略化するべく、第５世代システムでは、ＦＤＤシステムおよびＴＤＤシステムに同一の設計方法を使用するよう多大な努力が払われるであろう。したがって、どのようにしてＦＤＤシステムおよびＴＤＤシステム用の同一のアップリンク制御チャネルリソース指示方法を設計するかが、第５世代システムにおいて解決する必要のある問題である。
【発明の概要】
【０００６】
本出願は情報伝送方法および関連装置を提供する。これにより、高速ＨＡＲＱ−ＡＣＫフィードバックと高速再送とを可能にし、ＨＡＲＱタイミングが柔軟であるために異なるサブフレームにおけるアップリンク制御情報が異なるリソースを必要とするという問題に柔軟に対処し、ＦＤＤシステムおよびＴＤＤシステムの両方における適用性を保証する。
【０００７】
本出願の第１態様は、情報伝送方法を提供する。当該方法のダウンリンク制御情報は、第１の情報を含み、第１の情報は、アップリンク制御情報を搬送するシンボルを示すために使用される。ダウンリンク制御情報を受信した後、端末デバイスは、アップリンク制御情報を搬送するシンボルを第１の情報に基づいて決定し、アップリンク制御情報を搬送するシンボルにアップリンク制御情報をマッピングし、アップリンク制御情報をネットワークデバイスに送信する。したがって、アップリンク制御情報を搬送するシンボルにアップリンク制御情報をマッピングすることによって、高速ハイブリッド自動再送要求フィードバックおよび高速再送が可能になり、それによって遅延が低減され、また、ＦＤＤシステムおよびＴＤＤシステムに対して同一の解決手段を使用することが可能になり、同一のＨＡＲＱタイミング伝送間隔を使用することが可能になる。これによって、ＨＡＲＱタイミングが柔軟であるために異なるサブフレームにおけるアップリンク制御情報が異なるリソースを必要とするという問題に柔軟に対処できるだけでなく、各サブフレームにおいてアップリンク制御チャネルを伝送するために使用されるリソースを柔軟に変化させることを可能にもでき、それによって、固定のアップリンク制御チャネルリソースを確保する場合と比較してリソース利用率が向上する。
【０００８】
第１態様に関連して、第１態様の第１の実装例において、ダウンリンク制御情報は第２の情報をさらに含み、第２の情報は、アップリンク制御情報を搬送するサブフレームを示すために使用されてよく、または、アップリンク制御情報を搬送するサブフレームのサブフレーム番号を示すために使用されてよく、端末デバイスが、アップリンク制御情報を搬送するシンボルを第１の情報に基づいて決定する段階は、端末デバイスが、アップリンク制御情報を搬送するサブフレームを第２の情報に基づいて決定する段階と、端末デバイスが、アップリンク制御情報を搬送するサブフレームにおける、アップリンク制御情報を搬送するシンボルを第１の情報に基づいて決定する段階とを有する。
【０００９】
第１態様または第１態様の第１の実装例に関連して、第１態様の第２の実装例において、ダウンリンク制御情報は第３の情報をさらに含み、第３の情報は、アップリンク制御情報を搬送するシンボルにおける、アップリンク制御情報を搬送するアップリンク制御チャネルに対応する周波数領域リソースおよび／または符号リソースを示すために使用されるか、または、第３の情報は、アップリンク制御情報を搬送するシンボルにおける、アップリンク制御情報を搬送するアップリンク制御チャネルに対応するアップリンク制御チャネルインデックスを示すために使用される。
【００１０】
第１態様、第１態様の第１の実装例、または第１態様の第２の実装例に関連して、第１態様の第３の実装例において、第１の情報が、アップリンク制御情報を搬送するシンボルを示すために使用されることは、第１の情報が、アップリンク制御情報を搬送する開始シンボルを示すために使用されることであってよい。
【００１１】
第１態様、または第１態様の第１から第３の実装例のいずれか１つに関連して、第１態様の第４の実装例において、ダウンリンク制御情報は第４の情報をさらに含み、第４の情報は、アップリンク制御情報を搬送する終了シンボルを示すために使用され、端末デバイスは、アップリンク制御情報を搬送する終了シンボルを第４の情報に基づいて決定してよい。
【００１２】
第１態様、または第１態様の第１から第４の実装例のいずれか１つに関連して、第１態様の第５の実装例において、第１の情報は２ビットの情報フィールドに対応しており、端末デバイスが、アップリンク制御情報を搬送するシンボルを第１の情報に基づいて決定する段階は、第１の情報に対応する２ビットの情報フィールドが００である場合、端末デバイスが、アップリンク制御情報を搬送するシンボルはアップリンク制御情報を搬送するサブフレームにおける最後のシンボルであると決定する段階であり、第１の情報に対応する２ビットの情報フィールドが０１である場合、端末デバイスが、アップリンク制御情報を搬送するシンボルはアップリンク制御情報を搬送するサブフレームにおける最後から２番目のシンボルであると決定する段階であり、第１の情報に対応する２ビットの情報フィールドが１０である場合、端末デバイスが、アップリンク制御情報を搬送するシンボルはアップリンク制御情報を搬送するサブフレームにおける２番目のシンボルであると決定する段階であり、または、第１の情報に対応する２ビットの情報フィールドが１１である場合、端末デバイスが、アップリンク制御情報を搬送するシンボルはアップリンク制御情報を搬送するサブフレームにおける３番目のシンボルであると決定する段階であってよい。
【００１３】
第１態様、または第１態様の第１から第４の実装例のいずれか１つに関連して、第１態様の第６の実装例において、第１の情報は３ビットの情報フィールドに対応しており、アップリンク制御情報を搬送するサブフレームは７つのシンボルを含むか、または、第１の情報は４ビットの情報フィールドに対応しており、アップリンク制御情報を搬送するサブフレームは１４個のシンボルを含み、シンボルは時間領域シンボルであってよく、例えば、直交周波数分割多重シンボルであってよく、またはシングルキャリア周波数分割多元接続シンボルであってよい。
【００１４】
第１態様、または第１態様の第１から第６の実装例のいずれか１つに関連して、第１態様の第７の実装例において、ダウンリンク制御情報は、ダウンリンク共有チャネル伝送をスケジューリングするために使用され、アップリンク制御情報は、ダウンリンク共有チャネル伝送に対応するハイブリッド自動再送要求である。
【００１５】
第１態様の第７の実装例に関連して、第１態様の第８の実装例において、ダウンリンク制御情報を搬送するサブフレームは第４のサブフレームタイプであり、ダウンリンク共有チャネル伝送を搬送するサブフレームは第３のサブフレームタイプであり、第３のサブフレームタイプおよび第４のサブフレームタイプは共に、ダウンリンク伝送に使用されるシンボルと、ガード期間と、アップリンク伝送に使用されるシンボルとを含み、第３のサブフレームタイプにおけるダウンリンク伝送に使用されるシンボルは、主にダウンリンク制御チャネル伝送およびダウンリンクデータ伝送に使用され、第３のサブフレームタイプにおけるアップリンク伝送に使用されるシンボルは、主にアップリンク制御情報伝送および／またはアップリンク基準信号伝送に使用され、例えばＳＲＳ伝送に使用され、第４のサブフレームタイプにおけるダウンリンク伝送に使用されるシンボルは、主にダウンリンク制御チャネル伝送に使用され、第４のサブフレームタイプにおけるアップリンク伝送に使用されるシンボルは、主にアップリンクデータ伝送とアップリンク制御情報伝送とアップリンク基準信号伝送とに使用される。
【００１６】
第１態様の第７の実装例に関連して、第１態様の第９の実装例において、ダウンリンク制御情報は、サブフレームｎにおいて搬送され、ダウンリンク共有チャネル伝送は、サブフレームｎ＋ｋ１において搬送され、アップリンク制御情報は、サブフレームｎ＋ｋ１＋ｋ０において搬送され、ここで、ｋ１は、１より大きいかまたはそれに等しい整数であり、ｋ０は、０より大きいかまたはそれに等しい整数であり、ｋ０の値は第２の情報に基づいて決定されてよく、ダウンリンク制御情報は第６の情報を含んでよく、第６の情報は、ｋ１の値を示すために使用されてよい。
【００１７】
第１態様、または第１態様の第１から第６の実装例のいずれか１つに関連して、第１態様の第１０の実装例において、ダウンリンク制御情報は第５の情報をさらに含み、第５の情報は、チャネル状態情報の報告を誘発するために使用され、アップリンク制御情報はチャネル状態情報である。
【００１８】
本出願の第２態様は、情報伝送方法を提供する。当該方法におけるダウンリンク制御情報は第１の情報を含み、第１の情報は、アップリンク制御情報を搬送するシンボルを示すために使用される。ネットワークデバイスが、ダウンリンク制御情報を送信し、端末デバイスが送信したアップリンク制御情報を、アップリンク制御情報を搬送するシンボルにおいて受信する。これにより、高速ハイブリッド自動再送要求フィードバックおよび高速再送が可能になり、それによって遅延が低減され、また、ＦＤＤシステムおよびＴＤＤシステムに対して同一の解決手段を使用することが可能になり、同一のＨＡＲＱタイミング伝送間隔を使用することが可能になる。これによって、ＨＡＲＱタイミングが柔軟であるために異なるサブフレームにおけるアップリンク制御情報が異なるリソースを必要とするという問題に柔軟に対処できるだけでなく、各サブフレームにおいてアップリンク制御チャネルを伝送するために使用されるリソースを柔軟に変化させることを可能にもでき、それによって、固定のアップリンク制御チャネルリソースを確保する場合と比較してリソース利用率が向上する。
【００１９】
第２態様に関連して、第２態様の第１の実装例において、ダウンリンク制御情報は第２の情報をさらに含み、第２の情報は、アップリンク制御情報を搬送するサブフレームを示すために使用されてよく、または、アップリンク制御情報を搬送するサブフレームのサブフレーム番号を示すために使用されてよい。
【００２０】
第２態様、または第２態様の第１の実装例に関連して、第２態様の第２の実装例において、ダウンリンク制御情報は第３の情報をさらに含み、第３の情報は、アップリンク制御情報を搬送するシンボルにおける、アップリンク制御情報を搬送するアップリンク制御チャネルに対応する周波数領域リソースおよび／または符号リソースを示すために使用されるか、または、第３の情報は、アップリンク制御情報を搬送するシンボルにおける、アップリンク制御情報を搬送するアップリンク制御チャネルに対応するアップリンク制御チャネルインデックスを示すために使用される。
【００２１】
第２態様、第２態様の第１の実装例、または第２態様の第２の実装例に関連して、第２態様の第３の実装例において、アップリンク制御情報を搬送するシンボルは、アップリンク制御情報を搬送する開始シンボルである。
【００２２】
第２態様の第３の実装例に関連して、第２態様の第４の実装例において、ダウンリンク制御情報は第４の情報を含み、第４の情報は、アップリンク制御情報を搬送する終了シンボルを示すために使用され、端末デバイスは、アップリンク制御情報を搬送する終了シンボルを第４の情報に基づいて決定してよい。
【００２３】
第２態様、または第２態様の第１から第４の実装例のいずれか１つに関連して、第２態様の第５の実装例において、第１の情報は２ビットの情報フィールドに対応しており、アップリンク制御情報を搬送するシンボルは、第１の情報に対応する２ビットの情報フィールドが００である場合、アップリンク制御情報を搬送するシンボルは、アップリンク制御情報を搬送するサブフレームにおける最後のシンボルであり、第１の情報に対応する２ビットの情報フィールドが０１である場合、アップリンク制御情報を搬送するシンボルは、アップリンク制御情報を搬送するサブフレームにおける最後のシンボルの前のシンボルであり、第１の情報に対応する２ビットの情報フィールドが１０である場合、アップリンク制御情報を搬送するシンボルは、アップリンク制御情報を搬送するサブフレームにおける２番目のシンボルであり、または、第１の情報に対応する２ビットの情報フィールドが１１である場合、アップリンク制御情報を搬送するシンボルは、アップリンク制御情報を搬送するサブフレームにおける３番目のシンボルである。
【００２４】
第２態様、または第２態様の第１から第４の実装例のいずれか１つに関連して、第２態様の第６の実装例において、第１の情報は３ビットの情報フィールドに対応しており、アップリンク制御情報を搬送するサブフレームは７つのシンボルを含むか、または、第１の情報は４ビットの情報フィールドに対応しており、アップリンク制御情報を搬送するサブフレームは１４個のシンボルを含み、シンボルは時間領域シンボルであってよく、例えば、直交周波数分割多重シンボルであってよく、またはシングルキャリア周波数分割多元接続シンボルであってよい。
【００２５】
第２態様、または第２態様の第１から第６の実装例のいずれか１つに関連して、第２態様の第７の実装例において、ダウンリンク制御情報は、ダウンリンク共有チャネル伝送をスケジューリングするために使用され、アップリンク制御情報は、ダウンリンク共有チャネル伝送に対応するハイブリッド自動再送要求である。
【００２６】
第２態様の第７の実装例に関連して、第２態様の第８の実装例において、ダウンリンク制御情報を搬送するサブフレームは第４のサブフレームタイプであり、ダウンリンク共有チャネル伝送を搬送するサブフレームは第３のサブフレームタイプであり、第３のサブフレームタイプおよび第４のサブフレームタイプは共に、ダウンリンク伝送に使用されるシンボルと、ガード期間と、アップリンク伝送に使用されるシンボルとを含み、第３のサブフレームタイプにおけるダウンリンク伝送に使用されるシンボルは、主にダウンリンク制御チャネル伝送およびダウンリンクデータ伝送に使用され、第３のサブフレームタイプにおけるアップリンク伝送に使用されるシンボルは、主にアップリンク制御情報伝送および／またはアップリンク基準信号伝送に使用され、例えばＳＲＳ伝送に使用され、第４のサブフレームタイプにおけるダウンリンク伝送に使用されるシンボルは、主にダウンリンク制御チャネル伝送に使用され、第４のサブフレームタイプにおけるアップリンク伝送に使用されるシンボルは、主にアップリンクデータ伝送とアップリンク制御情報伝送とアップリンク基準信号伝送とに使用される。
【００２７】
第２態様の第７の実装例に関連して、第２態様の第９の実装例において、ダウンリンク制御情報は、サブフレームｎにおいて搬送され、ダウンリンク共有チャネル伝送は、サブフレームｎ＋ｋ１において搬送され、アップリンク制御情報は、サブフレームｎ＋ｋ１＋ｋ０において搬送され、ここで、ｋ１は、１より大きいかまたはそれに等しい整数であり、ｋ０は、０より大きいかまたはそれに等しい整数であり、ｋ０の値は第２の情報に基づいて決定されてよく、ダウンリンク制御情報は第６の情報を含んでよく、第６の情報は、ｋ１の値を示すために使用されてよい。
【００２８】
第２態様、または第２態様の第１から第６の実装例のいずれか１つに関連して、第２態様の第１０の実装例において、ダウンリンク制御情報は第５の情報を含み、第５の情報は、チャネル状態情報の報告を誘発するために使用され、アップリンク制御情報はチャネル状態情報である。
【００２９】
本出願の第３態様は、情報伝送装置を提供する。当該情報伝送装置は、第１態様または第１態様の実装例のいずれか１つにおいて提供される情報伝送方法を行うよう構成される少なくとも１つのユニットを備える。
【００３０】
本出願の第４態様は、情報伝送装置を提供する。当該情報伝送装置は、第２態様または第２態様の実装例のいずれか１つにおいて提供される情報伝送方法を行うよう構成される少なくとも１つのユニットを備える。
【００３１】
本出願の第５態様は、記憶媒体を提供する。当該記憶媒体は、プログラムコードを記憶する。プログラムコードを動作させるとき、端末デバイスは、第１態様または第１態様の実装例のいずれか１つにおいて提供される情報伝送方法を行う。記憶媒体は、フラッシュメモリ（英語：ｆｌａｓｈ  ｍｅｍｏｒｙ）、ハードディスク（英語：ｈａｒｄ  ｄｉｓｋ  ｄｒｉｖｅ、ＨＤＤ）、またはソリッドステートドライブ（英語：ｓｏｌｉｄ  ｓｔａｔｅ  ｄｒｉｖｅ、ＳＳＤ）を含むが、それに限定されない。
【００３２】
本出願の第６態様は、記憶媒体を提供する。当該記憶媒体は、プログラムコードを記憶する。プログラムコードを動作させるとき、ネットワークデバイスは、第２態様または第２態様の実装例のいずれか１つにおける情報伝送方法を行う。記憶媒体は、フラッシュメモリ、ハードディスク、またはソリッドステートドライブを含むが、それに限定されない。
【００３３】
本出願の第７態様は、プロセッサおよびメモリを備える通信装置を提供する。メモリはコンピュータ命令を記憶し、プロセッサは、メモリに記憶されたコンピュータ命令を実行する。その結果、当該装置は、第１態様または第１態様の実装例のいずれか１つにおいて提供される情報伝送方法を実装する。
【００３４】
第７態様に関連して、第７態様の第１の実装例において、通信装置は、送受信機をさらに備える。
【００３５】
本出願の第８態様は、プロセッサおよびメモリを備える通信装置を提供する。メモリはコンピュータ命令を記憶し、プロセッサは、メモリに記憶されたコンピュータ命令を実行する。その結果、当該装置は、第２態様または第２態様の実装例のいずれか１つにおいて提供される情報伝送方法を実装する。
【００３６】
第８態様に関連して、第８態様の第１の実装例において、通信装置は、送受信機をさらに備える。
【図面の簡単な説明】
【００３７】
【図１】本出願に係る通信システムの概略的アーキテクチャ図である。
【００３８】
【図２】本出願に係る端末デバイスの組織構造の概略図である。
【００３９】
【図３】本出願に係る情報伝送方法の概略フローチャートである。
【００４０】
【図４】本出願に係るサブフレームタイプの概略図である。
【００４１】
【図５】本出願に係るサブフレームタイプの概略図である。
【００４２】
【図６】本出願に係るサブフレームタイプの概略図である。
【００４３】
【図７】本出願に係るネットワークデバイスの組織構造の概略図である。
【００４４】
【図８】本出願に係る情報伝送方法の別の概略フローチャートである。
【００４５】
【図９】本出願に係る情報伝送装置の組織構造の概略図である。
【００４６】
【図１０】本出願に係る情報伝送装置の組織構造の別の概略図である。
【発明を実施するための形態】
【００４７】
本出願の明細書、請求項、および添付図面において、「第１」、「第２」、「第３」、および「第４」等（存在する場合には）の用語は、同様の対象物を区別することを意図しているのであって、必ずしも特定の順序または順番を示すわけではない。そのようなやり方で称されるデータは、本明細書において説明される本発明の実施形態が、本明細書において示され、または説明される順序以外の順序で実装され得るよう、適切な状況においては交換可能であることを理解されたい。加えて、用語「含む（ｉｎｃｌｕｄｅ）」、「含む（ｃｏｎｔａｉｎ）」、および他の任意の変化形は、非排他的な含有を包含することを意味する。例えば、一連の段階またはユニットを含むプロセス、方法、システム、製品、またはデバイスは、必ずしもそれらのユニットに限定されるわけではなく、明示的に列挙されていないか、またはそのようなプロセス、方法、システム、製品、またはデバイスに固有の他のユニットを含んでよい。以下、本出願の実施形態における添付図面に関連して、本出願の実施形態における技術的解決手段を説明する。
【００４８】
本明細書において、第５世代通信システムに対応するフレーム構造は、４つのサブフレームタイプを含んでよい。第１のサブフレームタイプはダウンリンクサブフレームであり、第２のサブフレームタイプはアップリンクサブフレームである。第３のサブフレームタイプおよび第４のサブフレームタイプは共に、ダウンリンク伝送に使用されるシンボル、ガード期間（英語：Ｇｕａｒｄ  Ｐｅｒｉｏｄ、ＧＰ）、およびアップリンク伝送に使用されるシンボルを含む。第３のサブフレームタイプおよび第４のサブフレームタイプは、同一のサブフレームタイプとみなされてよい。第３のサブフレームタイプにおけるダウンリンク伝送に使用されるシンボルは、主にダウンリンク制御チャネル伝送およびダウンリンクデータ伝送に使用され、第３のサブフレームタイプにおけるアップリンク伝送に使用されるシンボルは、主にアップリンク制御情報伝送および／またはアップリンク基準信号伝送に使用され、例えば、サウンディング基準信号（英語：Ｓｏｕｎｄｉｎｇ  Ｒｅｆｅｒｅｎｃｅ  Ｓｉｇｎａｌ、ＳＲＳ）伝送に使用される。第４のサブフレームタイプにおけるダウンリンク伝送に使用されるシンボルは、主にダウンリンク制御チャネル伝送に使用され、第４のサブフレームタイプにおけるアップリンク伝送に使用されるシンボルは、主にアップリンクデータ伝送、アップリンク制御情報伝送、およびアップリンク基準信号伝送に使用される。第３のサブフレームタイプは、プライマリダウンリンクサブフレーム（英語：ＤＬ  ｄｏｍｉｎａｎｔ  ｓｕｂｆｒａｍｅまたはＤＬ  ｃｅｎｔｒｉｃ  ｓｕｂｆｒａｍｅ）とも称されてよく、第４のサブフレームタイプは、プライマリアップリンクサブフレーム（英語：ＵＬ  ｄｏｍｉｎａｎｔ  ｓｕｂｆｒａｍｅまたはＵＬ  ｃｅｎｔｒｉｃ  ｓｕｂｆｒａｍｅ）とも称されてよい。第３のサブフレームタイプにおけるダウンリンク伝送に使用される時間領域シンボルの数は、アップリンク伝送に使用される時間領域シンボルの数より多いかまたはそれに等しくてよく、第４のサブフレームタイプにおけるダウンリンク伝送に使用される時間領域シンボルの数は、アップリンク伝送に使用される時間領域シンボルの数より少なくてよい。
【００４９】
第５世代システムでは、ユーザプレーン遅延が重要な指標である。第５世代システムの設計において、ユーザプレーン遅延を最小にするために多大な努力が払われるであろう。第５世代システムにおいて、高速ハイブリッド自動再送要求フィードバックを可能にし、高速再送を可能にするために多大な努力が払われて、遅延が低減されるであろう。第５世代システムがどのようにして高速ハイブリッド自動再送要求フィードバックを可能にし、高速再送を可能にするかが、解決する必要のある問題である。
【００５０】
上述したように、第５世代システムは、種々のサービスおよび種々のユーザ機能に対応する伝送をサポートすることとなる。異なるユーザおよび異なるユーザ機能に対して、異なるＨＡＲＱタイミングが使用されてよい。種々の要件を満たすために、第５世代システムは柔軟なＨＡＲＱタイミングをサポートすることとなる。ＨＡＲＱタイミングが柔軟であることによって、異なるサブフレームに対応する異なるＨＡＲＱ−ＡＣＫフィードバック数がもたらされ得る。したがって、アップリンク制御情報のフィードバックに少数のリソースしか必要でないサブフレームもあれば、アップリンク制御情報のフィードバックに多数のリソースが必要となるサブフレームもある。柔軟なＨＡＲＱタイミングに対処するべくどのようにアップリンク制御チャネルリソース指示方法を設計するかが、解決する必要のある問題である。
【００５１】
第５世代システムは、ＦＤＤシステムおよびＴＤＤシステムをサポートすることとなる。ＦＤＤシステムフレーム構造は、主に第１のサブフレームタイプおよび第２のサブフレームタイプに基づき、ＴＤＤシステムフレーム構造は、すべてのサブフレームタイプに基づくであろう。ＦＤＤシステムおよびＴＤＤシステムは共に、第５世代システムの性能指標を満たす必要がある。特に、ＦＤＤシステムおよびＴＤＤシステムは共に低遅延を満たす必要がある。すなわち、高速ハイブリッド自動再送要求フィードバックおよび高速再送をサポートする必要がある。ＦＤＤシステムおよびＴＤＤシステムはまた、柔軟なＨＡＲＱタイミングをサポートする必要がある。システム設計を簡略化するべく、第５世代システムでは、ＦＤＤシステムおよびＴＤＤシステムに同一の設計方法を使用するよう多大な努力が払われるであろう。どのようにしてＦＤＤシステムおよびＴＤＤシステム用の同一のアップリンク制御チャネルリソース指示方法を設計するかが、第５世代システムにおいて解決する必要のある問題である。
【００５２】
本出願は、情報伝送方法を提供する。具体的には、アップリンク制御チャネルリソース指示方法を提供する。これにより、高速ＨＡＲＱ−ＡＣＫフィードバックおよび高速再送を可能にし、ＨＡＲＱタイミングが柔軟であるために異なるサブフレームにおけるアップリンク制御情報が異なるリソースを必要とするという問題に柔軟に対処し、ＦＤＤシステムおよびＴＤＤシステムの両方における適用性を保証する。
【００５３】
本出願の実施形態において適用される通信システムのアーキテクチャが以下で説明される。
【００５４】
本出願において説明される様々な技術は、グローバルシステムフォーモバイルコミュニケーションズ（英語：ｇｌｏｂａｌ  ｓｙｓｔｅｍ  ｆｏｒ  ｍｏｂｉｌｅ  ｃｏｍｍｕｎｉｃａｔｉｏｎｓ、ＧＳＭ（登録商標））などの第２世代通信システムと、広帯域符号分割多元接続（英語：Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））システムおよび時分割同期符号分割多元接続（英語：Ｔｉｍｅ  Ｄｉｖｉｓｉｏｎ−Ｓｙｎｃｈｒｏｎｉｚａｔｉｏｎ  Ｃｏｄｅ  Ｄｉｖｉｓｉｏｎ  Ｍｕｌｔｉｐｌｅ  Ａｃｃｅｓｓ、ＴＤ−ＳＣＤＭ）システムなどの第３世代通信システムと、ロングタームエボリューション（英語：Ｌｏｎｇ  Ｔｅｒｍ  Ｅｖｏｌｕｔｉｏｎ、ＬＴＥ）通信システムおよびＬＴＥ通信システムの後続の発展型システムなどの次世代通信システムとを含む様々な通信システムに使用されてよい。本出願は、主に第５世代通信システム、ＬＴＥシステム、またはＬＴＥ発展型システムに適用される。本出願は、シングルキャリアシステムおよびマルチキャリアシステムに適用され得る。
【００５５】
図１は、本出願の実施形態において適用される通信システムの概略的アーキテクチャ図である。当該通信システムにおいて使用されるネットワーク要素は、端末デバイスおよびネットワークデバイスを備え、通信するために端末デバイスとネットワークデバイスとの間に通信ネットワークが確立される。本出願のこの実施形態の端末デバイスは、ユーザ機器（英語：Ｕｓｅｒ  Ｅｑｕｉｐｍｅｎｔ、ＵＥ）であってよく、具体的には、上述の通信システムにおいて通信を行うユーザ機器であってよい。例えば、端末デバイスは、（携帯端末などの）携帯電話、または通話機能を有するタブレットコンピュータもしくはコンピュータ等であってよい。例えば、端末デバイスは、代替的に車載通話装置等であってよい。このことは、本明細書において限定されない。本出願のこの実施形態のネットワークデバイスは、上述の通信システムにおいて端末デバイスと通信するよう構成される。例えば、ネットワークデバイスは基地局であってよく、具体的には狭義の基地局、すなわち公共モバイル通信基地局であってよく、または、具体的には広義の基地局、すなわち、基地局サブシステムであってよい。このことは、本明細書において限定されない。例えば、基地局は、ｅＮＢ（Ｅ−ＵＴＲＡＮ  Ｎｏｄｅ  Ｂ）またはＢＳ（Ｂａｓｅ  Ｓｔａｔｉｏｎ）であってよい。
【００５６】
図１の端末デバイスは、図２の端末デバイス２００を使用することによって実装されてよい。端末デバイス２００の組織構造の概略図を図２に示す。端末デバイス２００は、プロセッサ２０２とメモリ２０４と送受信機２０６とを備え、バス２０８をさらに備えてよい。
【００５７】
バス２０８を使用することによって、プロセッサ２０２とメモリ２０４と送受信機２０６との間の通信接続が実装されてよく、または、ワイヤレス伝送などの他の手段を使用することによって、プロセッサ２０２とメモリ２０４と送受信機２０６との間の通信が実装されてよい。
【００５８】
メモリ２０４は、例えばランダムアクセスメモリ（ｒａｎｄｏｍ  ａｃｃｅｓｓ  ｍｅｍｏｒｙ、略してＲＡＭ）といった揮発性メモリ（英語：ｖｏｌａｔｉｌｅ  ｍｅｍｏｒｙ）を含んでよい。メモリはまた、例えばリードオンリメモリ（英語：ｒｅａｄ−ｏｎｌｙ  ｍｅｍｏｒｙ、略してＲＯＭ）、フラッシュメモリ（英語：ｆｌａｓｈ  ｍｅｍｏｒｙ）、ハードディスク（英語：ｈａｒｄ  ｄｉｓｋ  ｄｒｉｖｅ、略してＨＤＤ）、またはソリッドステートドライブ（英語：ｓｏｌｉｄ−ｓｔａｔｅ  ｄｒｉｖｅ、略してＳＳＤ）といった不揮発性メモリ（英語：ｎｏｎ−ｖｏｌａｔｉｌｅ  ｍｅｍｏｒｙ）を含んでよい。あるいは、メモリ２０４は、上述のタイプのメモリの組み合わせを含んでよい。本出願において提供される技術的解決手段がソフトウェアを使用することによって実装されるとき、本出願の図３において提供される情報伝送方法を実装するために使用されるプログラムコードがメモリ２０４に記憶され、プロセッサ２０２によって実行される。
【００５９】
端末デバイス２００は、送受信機２０６を使用することによってネットワークデバイスと通信する。
【００６０】
プロセッサ２０２は、中央演算処理装置（英語：ｃｅｎｔｒａｌ  ｐｒｏｃｅｓｓｉｎｇ  ｕｎｉｔ、ＣＰＵ）であってよい。
【００６１】
本出願のこの実施形態のダウンリンク制御情報（英語：Ｄｏｗｎｌｉｎｋ  Ｃｏｎｔｒｏｌ  Ｉｎｆｏｒｍａｔｉｏｎ、ＤＣＩ）は第１の情報を含み、第１の情報は、アップリンク制御情報（英語：Ｕｐｌｉｎｋ  Ｃｏｎｔｒｏｌ  Ｉｎｆｏｒｍａｔｉｏｎ、ＵＣＩ）を搬送するシンボルを示すために使用される。送受信機２０６を使用することによってダウンリンク制御情報を受信した後、プロセッサ２０２は、アップリンク制御情報を搬送するシンボルを第１の情報に基づいて決定し、アップリンク制御情報を搬送するシンボルにアップリンク制御情報をマッピングし、送受信機２０６を使用することによってアップリンク制御情報をネットワークデバイスに送信する。したがって、アップリンク制御情報を搬送するシンボルにアップリンク制御情報をマッピングすることによって、高速ハイブリッド自動再送要求フィードバックおよび高速再送が可能になり、それによって遅延が低減され、また、ＦＤＤシステムおよびＴＤＤシステムに同一の解決手段を使用することが可能になり、同一のＨＡＲＱタイミング伝送間隔を使用することが可能になる。これによって、ＨＡＲＱタイミングが柔軟であるために異なるサブフレームにおけるアップリンク制御情報が異なるリソースを必要とするという問題に柔軟に対処できるだけでなく、各サブフレームにおいてアップリンク制御チャネルを伝送するために使用されるリソースを柔軟に変化させることを可能にもでき、それによって、固定のアップリンク制御チャネルリソースを確保する場合と比較してリソース利用率が向上する。
【００６２】
任意で、ダウンリンク制御情報は第２の情報をさらに含む。第２の情報は、アップリンク制御情報を搬送するサブフレームを示すために使用され、プロセッサ２０２が、アップリンク制御情報を搬送するシンボルを第１の情報に基づいて決定するよう構成されることは、プロセッサ２０２が、アップリンク制御情報を搬送するサブフレームを第２の情報に基づいて決定し、アップリンク制御情報を搬送するサブフレームにおける、アップリンク制御情報を搬送するシンボルを第１の情報に基づいて決定するよう構成されることを含む。
【００６３】
任意で、ダウンリンク制御情報は第３の情報をさらに含む。第３の情報は、アップリンク制御情報を搬送するシンボルにおける、アップリンク制御情報を搬送するアップリンク制御チャネルに対応する周波数領域リソースおよび／または符号リソースを示すために使用される。
【００６４】
任意で、アップリンク制御情報を搬送するシンボルは、アップリンク制御情報を搬送する開始シンボルである。
【００６５】
任意で、ダウンリンク制御情報は第４の情報をさらに含む。第４の情報は、アップリンク制御情報を搬送する終了シンボルを示すために使用され、プロセッサ２０２はさらに、アップリンク制御情報を搬送する終了シンボルを第４の情報に基づいて決定するよう構成される。
【００６６】
任意で、第１の情報は２ビットの情報フィールドに対応しており、プロセッサ２０２が、アップリンク制御情報を搬送するシンボルを第１の情報に基づいて決定するよう構成されることは、第１の情報に対応する２ビットの情報フィールドが００である場合、アップリンク制御情報を搬送するシンボルがアップリンク制御情報を搬送するサブフレームにおける最後のシンボルであると決定するか、第１の情報に対応する２ビットの情報フィールドが０１である場合、アップリンク制御情報を搬送するシンボルがアップリンク制御情報を搬送するサブフレームにおける最後から２番目のシンボルであると決定するか、第１の情報に対応する２ビットの情報フィールドが１０である場合、アップリンク制御情報を搬送するシンボルがアップリンク制御情報を搬送するサブフレームにおける２番目のシンボルであると決定するか、または、第１の情報に対応する２ビットの情報フィールドが１１である場合、アップリンク制御情報を搬送するシンボルがアップリンク制御情報を搬送するサブフレームにおける３番目のシンボルであると決定するようプロセッサ２０２が構成されることを含む。
【００６７】
任意で、第１の情報は３ビットの情報フィールドに対応しており、アップリンク制御情報を搬送するサブフレームは７つのシンボルを含むか、または、第１の情報は４ビットの情報フィールドに対応しており、アップリンク制御情報を搬送するサブフレームは１４個のシンボルを含む。
【００６８】
任意で、ダウンリンク制御情報は、ダウンリンク共有チャネル伝送をスケジューリングするために使用され、アップリンク制御情報は、ダウンリンク共有チャネル伝送に対応するハイブリッド自動再送要求である。
【００６９】
任意で、ダウンリンク制御情報を搬送するサブフレームは第４のサブフレームタイプであり、ダウンリンク共有チャネル伝送を搬送するサブフレームは第３のサブフレームタイプであり、第３のサブフレームタイプおよび第４のサブフレームタイプは共に、ダウンリンク伝送に使用されるシンボル、ガード期間、およびアップリンク伝送に使用されるシンボルを含む。
【００７０】
任意で、ダウンリンク制御情報はサブフレームｎにおいて搬送され、ダウンリンク共有チャネル伝送はサブフレームｎ＋ｋ１において搬送され、アップリンク制御情報は、サブフレームｎ＋ｋ１＋ｋ０において搬送される。ここで、ｋ１は、１より大きいかまたはそれに等しい整数であり、ｋ０は、０より大きいかまたはそれに等しい整数である。
【００７１】
任意で、ダウンリンク制御情報は第５の情報をさらに含み、第５の情報はチャネル状態情報の報告を誘発するために使用され、アップリンク制御情報はチャネル状態情報である。
【００７２】
本出願はさらに、情報伝送方法を提供する。図１および図２の端末デバイスが、動作中に当該方法を行う。当該方法の概略フローチャートを図３に示す。
【００７３】
３０１．端末デバイスが、ダウンリンク制御情報を受信する。ここで、ダウンリンク制御情報は第１の情報を含み、第１の情報は、アップリンク制御情報を搬送するシンボルを示すために使用される。
【００７４】
この段階において、端末デバイスが、ダウンリンク制御情報を受信する段階であって、ダウンリンク制御情報は第１の情報を含み、第１の情報は、アップリンク制御情報を搬送するシンボルを示すために使用される、段階は、端末デバイスが、ダウンリンク制御チャネルを受信する段階であって、ダウンリンク制御チャネルにおいて搬送されるダウンリンク制御情報は第１の情報を含み、第１の情報は、アップリンク制御情報を搬送するシンボルを示すために使用される、段階であってよい。
【００７５】
あるいは、端末デバイスが、ダウンリンク制御情報を受信する段階であって、ダウンリンク制御情報は第１の情報を含み、第１の情報は、アップリンク制御情報を搬送するシンボルを示すために使用される、段階は、端末デバイスが、ダウンリンク制御チャネルを受信する段階であって、ダウンリンク制御チャネルに対応するダウンリンク制御情報フォーマットは第１の情報フィールドを含み、第１の情報フィールドは、アップリンク制御情報を搬送するシンボルを示すために使用される、段階であってよい。
【００７６】
あるいは、端末デバイスが、ダウンリンク制御情報を受信する段階であって、ダウンリンク制御情報は第１の情報を含み、第１の情報は、アップリンク制御情報を搬送するシンボルを示すために使用される、段階は、端末デバイスが、ダウンリンク制御情報フォーマットを検出する段階であって、ダウンリンク制御情報フォーマットは第１の情報フィールドを含み、第１の情報フィールドは、アップリンク制御情報を搬送するシンボルを示すために使用される、段階であってよい。
【００７７】
さらに任意で、ダウンリンク制御情報は第２の情報をさらに含み、第２の情報は、アップリンク制御情報を搬送するサブフレームを示すために使用される。具体的には、ダウンリンク制御情報がサブフレームｎにおいて搬送される場合、アップリンク制御情報は、サブフレームｎ＋ｋ０において搬送され、ｋ０は、０より大きいかまたはそれに等しい整数であり、ｋ０の値は、第２の情報に基づいて決定される。第２の情報は、アップリンク制御情報を搬送するサブフレームを示すために使用され、または、第２の情報は、アップリンク制御情報を搬送するサブフレームのサブフレーム番号を示すために使用されてよい。
【００７８】
さらに任意で、ダウンリンク制御情報は第３の情報をさらに含む。第３の情報は、アップリンク制御情報を搬送するシンボルにおける、アップリンク制御情報を搬送するアップリンク制御チャネルに対応する周波数領域リソースおよび／または符号リソースを示すために使用され、または、第３の情報は、アップリンク制御情報を搬送するシンボルにおける、アップリンク制御情報を搬送するアップリンク制御チャネルに対応するアップリンク制御チャネルインデックスを示すために使用され、アップリンク制御チャネルインデックスは、アップリンク制御チャネルに対応する周波数領域リソースおよび／または符号リソースをアップリンク制御チャネルインデックスに基づいて決定するために端末デバイスによって使用される。符号リソースは、アップリンク制御チャネルに対応するシーケンスの巡回シフトおよび／または直交拡散符号であってよい。
【００７９】
さらに任意で、第１の情報が、アップリンク制御情報を搬送するシンボルを示すために使用されることは、第１の情報が、アップリンク制御情報を搬送する開始シンボルを示すために使用されることであってよい。この場合、ダウンリンク制御情報は第４の情報をさらに含んでよく、第４の情報は、アップリンク制御情報を搬送する終了シンボルを示すために使用される。
【００８０】
さらに任意で、第１の情報は２ビットの情報フィールドに対応しており、第１の情報が、アップリンク制御情報を搬送するシンボルを示すために使用されることは、第１の情報に対応する２ビットの情報フィールドが００である場合、アップリンク制御情報を搬送するシンボルは、アップリンク制御情報を搬送するサブフレームにおける最後のシンボルであり、第１の情報に対応する２ビットの情報フィールドが０１である場合、アップリンク制御情報を搬送するシンボルは、最後から２番目のシンボル、すなわち、アップリンク制御情報を搬送するサブフレームにおける最後のシンボルの前のシンボルであり、第１の情報に対応する２ビットの情報フィールドが１０である場合、アップリンク制御情報を搬送するシンボルは、アップリンク制御情報を搬送するサブフレームにおける２番目のシンボルであり、または、第１の情報に対応する２ビットの情報フィールドが１１である場合、アップリンク制御情報を搬送するシンボルは、アップリンク制御情報を搬送するサブフレームにおける３番目のシンボルであることであってよい。
【００８１】
あるいは、第１の情報が、アップリンク制御情報を搬送するシンボルを示すために使用されることは、第１の情報に対応する２ビットの情報フィールドが１１である場合、アップリンク制御情報を搬送するシンボルは、アップリンク制御情報を搬送するサブフレームにおける最後のシンボルであり、第１の情報に対応する２ビットの情報フィールドが１０である場合、アップリンク制御情報を搬送するシンボルは、最後から２番目のシンボル、すなわち、アップリンク制御情報を搬送するサブフレームにおける最後のシンボルの前のシンボルであり、第１の情報に対応する２ビットの情報フィールドが００である場合、アップリンク制御情報を搬送するシンボルは、アップリンク制御情報を搬送するサブフレームにおける２番目のシンボルであり、または、第１の情報に対応する２ビットの情報フィールドが０１である場合、アップリンク制御情報を搬送するシンボルは、アップリンク制御情報を搬送するサブフレームにおける３番目のシンボルであることであってよい。
【００８２】
あるいは、第１の情報が、アップリンク制御情報を搬送するシンボルを示すために使用されることは、第１の情報に対応する２ビットの情報フィールドが００である場合、アップリンク制御情報を搬送するシンボルは、アップリンク制御情報を搬送するサブフレームにおける最後のシンボルであり、第１の情報に対応する２ビットの情報フィールドが０１である場合、アップリンク制御情報を搬送するシンボルは、最後から２番目のシンボル、すなわち、アップリンク制御情報を搬送するサブフレームにおける最後のシンボルの前のシンボルであり、第１の情報に対応する２ビットの情報フィールドが１０である場合、アップリンク制御情報を搬送するシンボルは、アップリンク制御情報を搬送するサブフレームにおける２番目のシンボルであり、または、第１の情報に対応する２ビットの情報フィールドが１１である場合、アップリンク制御情報を搬送するシンボルは、アップリンク制御情報を搬送するサブフレームにおける、アップリンク伝送に使用されるすべてのシンボルであることであってよい。
【００８３】
さらに任意で、第１の情報は３ビットの情報フィールドに対応しており、第１の情報が、アップリンク制御情報を搬送するシンボルを示すために使用されることは、第１の情報に対応する３ビットの情報フィールドが０００である場合、アップリンク制御情報を搬送するシンボルは、アップリンク制御情報を搬送するサブフレームにおける１番目のシンボルであり、第１の情報に対応する３ビットの情報フィールドが００１である場合、アップリンク制御情報を搬送するシンボルは、アップリンク制御情報を搬送するサブフレームにおける２番目のシンボルであり、第１の情報に対応する３ビットの情報フィールドが０１０である場合、アップリンク制御情報を搬送するシンボルは、アップリンク制御情報を搬送するサブフレームにおける３番目のシンボルであり、第１の情報に対応する３ビットの情報フィールドが０１１である場合、アップリンク制御情報を搬送するシンボルは、アップリンク制御情報を搬送するサブフレームにおける４番目のシンボルであり、第１の情報に対応する３ビットの情報フィールドが１００である場合、アップリンク制御情報を搬送するシンボルは、アップリンク制御情報を搬送するサブフレームにおける５番目のシンボルであり、第１の情報に対応する３ビットの情報フィールドが１０１である場合、アップリンク制御情報を搬送するシンボルは、アップリンク制御情報を搬送するサブフレームにおける６番目のシンボルであり、第１の情報に対応する３ビットの情報フィールドが１１０である場合、アップリンク制御情報を搬送するシンボルは、アップリンク制御情報を搬送するサブフレームにおける７番目のシンボルであり、または、第１の情報に対応する３ビットの情報フィールドが１１１である場合、アップリンク制御情報を搬送するシンボルは、アップリンク制御情報を搬送するサブフレームにおける、アップリンク伝送に使用されるすべてのシンボルであるか、もしくは当該フィールドは、予備状態（すなわち意味をもたない）であることであってよい。
【００８４】
この場合、アップリンク制御情報を搬送するサブフレームは、７つのシンボルを含んでよい。
【００８５】
さらに任意で、第１の情報は４ビットの情報フィールドに対応しており、第１の情報が、アップリンク制御情報を搬送するシンボルを示すために使用されることは、第１の情報に対応する４ビットの情報フィールドが００００である場合、アップリンク制御情報を搬送するシンボルは、アップリンク制御情報を搬送するサブフレームにおける１番目のシンボルであり、第１の情報に対応する４ビットの情報フィールドが０００１である場合、アップリンク制御情報を搬送するシンボルは、アップリンク制御情報を搬送するサブフレームにおける２番目のシンボルであり、第１の情報に対応する４ビットの情報フィールドが００１０である場合、アップリンク制御情報を搬送するシンボルは、アップリンク制御情報を搬送するサブフレームにおける３番目のシンボルであり、第１の情報に対応する４ビットの情報フィールドが００１１である場合、アップリンク制御情報を搬送するシンボルは、アップリンク制御情報を搬送するサブフレームにおける４番目のシンボルであり、第１の情報に対応する４ビットの情報フィールドが０１００である場合、アップリンク制御情報を搬送するシンボルは、アップリンク制御情報を搬送するサブフレームにおける５番目のシンボルであり、第１の情報に対応する４ビットの情報フィールドが０１０１である場合、アップリンク制御情報を搬送するシンボルは、アップリンク制御情報を搬送するサブフレームにおける６番目のシンボルであり、第１の情報に対応する４ビットの情報フィールドが０１１０である場合、アップリンク制御情報を搬送するシンボルは、アップリンク制御情報を搬送するサブフレームにおける７番目のシンボルであり、第１の情報に対応する４ビットの情報フィールドが０１１１である場合、アップリンク制御情報を搬送するシンボルは、アップリンク制御情報を搬送するサブフレームにおける８番目のシンボルであり、第１の情報に対応する４ビットの情報フィールドが１０００である場合、アップリンク制御情報を搬送するシンボルは、アップリンク制御情報を搬送するサブフレームにおける９番目のシンボルであり、第１の情報に対応する４ビットの情報フィールドが１００１である場合、アップリンク制御情報を搬送するシンボルは、アップリンク制御情報を搬送するサブフレームにおける１０番目のシンボルであり、第１の情報に対応する４ビットの情報フィールドが１０１０である場合、アップリンク制御情報を搬送するシンボルは、アップリンク制御情報を搬送するサブフレームにおける１１番目のシンボルであり、第１の情報に対応する４ビットの情報フィールドが１０１１である場合、アップリンク制御情報を搬送するシンボルは、アップリンク制御情報を搬送するサブフレームにおける１２番目のシンボルであり、第１の情報に対応する４ビットの情報フィールドが１１００である場合、アップリンク制御情報を搬送するシンボルは、アップリンク制御情報を搬送するサブフレームにおける１３番目のシンボルであり、第１の情報に対応する４ビットの情報フィールドが１１０１である場合、アップリンク制御情報を搬送するシンボルは、アップリンク制御情報を搬送するサブフレームにおける１４番目のシンボルであり、または、第１の情報に対応する４ビットの情報フィールドが１１１０もしくは１１１１である場合、アップリンク制御情報を搬送するシンボルは、アップリンク制御情報を搬送するサブフレームにおける、アップリンク伝送に使用されるすべてのシンボルであるか、もしくは当該フィールドは予備状態（すなわち意味をもたない）であることであってよい。
【００８６】
この場合、アップリンク制御情報を搬送するサブフレームは、１４個のシンボルを含んでよい。
【００８７】
さらに任意で、ダウンリンク制御情報は、ダウンリンク共有チャネル伝送をスケジューリングするために使用され、アップリンク制御情報は、ダウンリンク共有チャネル伝送に対応するハイブリッド自動再送要求である。
【００８８】
さらに任意で、ダウンリンク制御情報は、サブフレームｎにおいて搬送され、ダウンリンク共有チャネル伝送は、サブフレームｎ＋ｋ１において搬送され、アップリンク制御情報は、サブフレームｎ＋ｋ１＋ｋ０において搬送され、ここで、ｋ１は、１より大きいかまたはそれに等しい整数であり、ｋ０は、０より大きいかまたはそれに等しい整数であり、ｋ０の値は第２の情報に基づいて決定されてよく、ダウンリンク制御情報は第６の情報を含んでよく、第６の情報は、ｋ１の値を示すために使用されてよい。
【００８９】
さらに任意で、ダウンリンク制御情報を搬送するサブフレームは第４のサブフレームタイプであり、ダウンリンク共有チャネル伝送を搬送するサブフレームは第３のサブフレームタイプである。第３のサブフレームタイプにおけるダウンリンク伝送に使用されるシンボルは、主にダウンリンク制御チャネル伝送およびダウンリンクデータ伝送に使用され、第３のサブフレームタイプにおけるアップリンク伝送に使用されるシンボルは、主にアップリンク制御情報伝送および／またはアップリンク基準信号伝送に使用され、例えばＳＲＳ伝送に使用される。第４のサブフレームタイプにおけるダウンリンク伝送に使用されるシンボルは、主にダウンリンク制御チャネル伝送に使用され、第４のサブフレームタイプにおけるアップリンク伝送に使用されるシンボルは、主にアップリンクデータ伝送、アップリンク制御情報伝送、およびアップリンク基準信号伝送に使用される。
【００９０】
さらに任意で、ダウンリンク制御情報は第５の情報を含み、第５の情報はチャネル状態情報の報告を誘発するために使用され、アップリンク制御情報はチャネル状態情報である。
【００９１】
さらに任意で、ダウンリンク制御情報は第６の情報を含み、第６の情報は、ビーム情報の報告を誘発するために使用され、アップリンク制御情報はビーム情報である。ビーム情報は、ビーム（ｂｅａｍ）インデックスおよび／または当該ビームに対応するＲＳＲＰ（Ｒｅｆｅｒｅｎｃｅ  Ｓｉｇｎａｌ  Ｒｅｃｅｉｖｅｄ  Ｐｏｗｅｒ）を含んでよい。
【００９２】
さらに任意で、ダウンリンク制御情報は第７の情報を含み、第７の情報は、ＳＲＳの報告を誘発するために使用され、アップリンク制御情報はＳＲＳである。
【００９３】
本出願のすべての実施形態において、サブフレームは、伝送時間単位で置き換えられてよく、または伝送時間間隔で置き換えられてよく、またはリソース単位で置き換えられてよい。
【００９４】
本出願のすべての実施形態において、シンボルは、時間領域シンボルであってよく、例えば、直交周波数分割多重（英語：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボルであってよく、または、シングルキャリア周波数分割多元接続（英語：Ｓｉｎｇｌｅ  ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ、ＳＣ−ＦＤＭＡ）シンボルであってよい。
【００９５】
この段階の具体的な実施形態を図４に示す。図４は、ＴＤＤシステムにおけるサブフレームタイプの概略図である。図４では、ダウンリンク制御情報はサブフレームｎの１番目のシンボルにおいて搬送され、ダウンリンク制御情報は、ダウンリンク共有チャネル伝送をスケジューリングするために使用され、ダウンリンク共有チャネル伝送は、サブフレームｎにおいて搬送される。ダウンリンク制御情報は第１の情報を含み、第１の情報は、ダウンリンク共有チャネル伝送に対応するハイブリッド自動再送要求が、サブフレームｎの最後から２番目のシンボルにおいて伝送されることを示している。ダウンリンク共有チャネル伝送中にエラーが起こった場合、ダウンリンク共有チャネルに対応する再送がサブフレームｎ＋１において搬送され、再送に対応するダウンリンク制御情報がサブフレームｎ＋１の１番目のシンボルにおいて搬送される。ｎはサブフレーム番号であり、ｎは、０より大きいかまたはそれに等しい整数である。図４では、サブフレームｎにおいて搬送されるダウンリンク制御情報は、ダウンリンク制御情報を使用することによってスケジューリングされたダウンリンク共有チャネル伝送に対応するハイブリッド自動再送要求がサブフレームｎの最後から２番目のシンボルにおいて伝送されることを示しており、その結果、１つのシンボル（サブフレームｎの最後のシンボル）の処理時間がネットワークデバイス側のために確保され、サブフレームｎ＋１の１番目のシンボル上に再送がスケジューリングされ得て、それによって高速再送を可能にする。アップリンク制御情報を搬送するシンボルが第１の情報を使用することによって示されず、アップリンク制御情報が、予め定められた方式でサブフレームｎの最後のシンボルのみにおいて伝送される場合、処理時間が確保されないので、基地局はサブフレームｎ＋１において再送をスケジューリングすることができず、再送がスケジューリングされ得る最も早い時間は、サブフレームｎ＋２が初めてであり、したがって遅延が大きくなる。アップリンク制御情報が予め定められた方式でサブフレームｎの最後から２番目のシンボルのみにおいて伝送される場合、高速再送は可能になり得るが、サブフレームｎの最後のシンボルが効率的に使用され得ず、リソース利用率を比較的低くしてしまう。
【００９６】
本出願のこの実施形態において、ダウンリンク制御情報は第１の情報を含み、第１の情報は、アップリンク制御情報を搬送するシンボルを示すために使用される。その結果、高速ハイブリッド自動再送要求フィードバックおよび高速再送が可能になり、それによって遅延が低減される。
【００９７】
この段階の別の具体的な実施形態を図５に示す。図５は、ＦＤＤシステムにおけるサブフレームタイプの概略図である。図５では、ダウンリンク制御情報はサブフレームｎの１番目のシンボルにおいて搬送され、ダウンリンク制御情報は、ダウンリンク共有チャネル伝送をスケジューリングするために使用され、ダウンリンク共有チャネル伝送はサブフレームｎにおいて搬送される。ダウンリンク制御情報は第１の情報を含み、第１の情報は、ダウンリンク共有チャネル伝送に対応するハイブリッド自動再送要求が、サブフレームｎ＋１の２番目のシンボルにおいて伝送されることを示している。ＦＤＤシステムにおいて、サブフレームタイプは、主にダウンリンクサブフレームおよびアップリンクサブフレームを含む。サブフレームｎにおいて伝送されるダウンリンク共有チャネルの終了シンボルが、サブフレームｎの最後のシンボル上に位置し、サブフレームｎにおいて搬送されるダウンリンク制御情報に含まれる第１の情報は、ダウンリンク共有チャネルに対応するハイブリッド自動再送要求がサブフレームｎ＋１の２番目のシンボルにおいて伝送されることを示すために使用される。その結果、ダウンリンク共有チャネル伝送とハイブリッド自動再送要求伝送との間にはただ１つのシンボルしか存在せず、それによって高速ハイブリッド自動再送要求伝送を可能にする。図４に関連して、サブフレームｎにおけるダウンリンク共有チャネル伝送とダウンリンク共有チャネル伝送に対応するハイブリッド自動再送要求の伝送との間にはただ１つのシンボルのＧＰが存在することが分かる。したがって、同一のアップリンク制御チャネルリソース指示方法が実装され、ＦＤＤおよびＴＤＤに対する同一のＨＡＲＱタイミングが実装される。
【００９８】
本出願のこの実施形態において、ダウンリンク制御情報は第１の情報を含み、第１の情報は、アップリンク制御情報を搬送するシンボルを示すために使用される。その結果、ＦＤＤシステムおよびＴＤＤシステムに対して同一の解決手段を使用することができ、同一のＨＡＲＱタイミング伝送間隔を使用することが可能になる。
【００９９】
この段階の別の具体的な実施形態を図６に示す。図６において、サブフレームｎおよびサブフレームｎ＋１はダウンリンクサブフレームであり、サブフレームｎ＋２およびサブフレームｎ＋３は第３のサブフレームタイプである。サブフレームｎにおいて搬送されるダウンリンク制御情報は、サブフレームｎの１番目のシンボルにおいて搬送され、ダウンリンク制御情報は、ダウンリンク共有チャネル伝送をスケジューリングするために使用され、ダウンリンク共有チャネル伝送は、サブフレームｎにおいて搬送される。ここで、ダウンリンク制御情報は第１の情報を含み、第１の情報は、ダウンリンク共有チャネル伝送に対応するハイブリッド自動再送要求がサブフレームｎ＋２の最後から２番目のシンボルにおいて伝送されることを示す。サブフレームｎ＋１において搬送されるダウンリンク制御情報は、サブフレームｎ＋１の１番目のシンボルにおいて搬送され、ダウンリンク制御情報は、ダウンリンク共有チャネル伝送をスケジューリングするために使用され、ダウンリンク共有チャネル伝送は、サブフレームｎ＋１において搬送される。ここで、ダウンリンク制御情報は第１の情報を含み、第１の情報は、ダウンリンク共有チャネル伝送に対応するハイブリッド自動再送要求がサブフレームｎ＋２の最後のシンボルにおいて伝送されることを示す。サブフレームｎ＋２において搬送されるダウンリンク制御情報は、サブフレームｎ＋２の１番目のシンボルにおいて搬送され、ダウンリンク制御情報は、ダウンリンク共有チャネル伝送をスケジューリングするために使用され、ダウンリンク共有チャネル伝送は、サブフレームｎ＋２において搬送される。ここで、ダウンリンク制御情報は第１の情報を含み、第１の情報は、ダウンリンク共有チャネル伝送に対応するハイブリッド自動再送要求がサブフレームｎ＋３の最後のシンボルにおいて伝送されることを示す。図６に示す実施形態において、サブフレームｎ＋２は、サブフレームｎに対応するハイブリッド自動再送要求およびサブフレームｎ＋１に対応するハイブリッド自動再送要求を搬送する必要があるので、比較的多数のアップリンク制御チャネルリソースが必要になる。この実施形態において、第１の情報は、アップリンク制御情報を搬送するシンボルを示すために使用され、その結果、サブフレームｎに対応するハイブリッド自動再送要求およびサブフレームｎ＋１に対応するハイブリッド自動再送要求を共にサブフレームｎ＋２において伝送することができ、サブフレームｎ＋２の２つシンボルがアップリンク制御チャネル伝送に使用される。図６に示す実施形態では、サブフレームｎ＋３において、サブフレームｎ＋２において搬送されたダウンリンク共有チャネル伝送に対応するハイブリッド自動再送要求だけが報告される必要がある。したがって、サブフレームｎ＋２において搬送されるダウンリンク制御情報に含まれる第１の情報は、ハイブリッド自動再送要求がサブフレームｎ＋３の最後のシンボルにおいて伝送されることを示し、その結果、サブフレームｎ＋３のうちただ１つのシンボルがアップリンク制御チャネル伝送に使用される。
【０１００】
本出願のこの実施形態において、ダウンリンク制御情報は第１の情報を含み、第１の情報は、アップリンク制御情報を搬送するシンボルを示すために使用される。これによって、ＨＡＲＱタイミングが柔軟であるために異なるサブフレームにおけるアップリンク制御情報が異なるリソースを必要とするという問題に柔軟に対処できるだけでなく、各サブフレームにおいてアップリンク制御チャネルを伝送するために使用されるリソースを柔軟に変化させることを可能にもでき、それによって、固定のアップリンク制御チャネルリソースを確保する場合と比較してリソース利用率が向上する。例えば、使用する可能性のあるリソースの最大数に基づいてすべてのサブフレームにおいてアップリンク制御チャネルリソースが確保されている場合、リソース利用率は低い。使用する可能性のあるリソースの最小数に基づいてアップリンク制御チャネルリソースが確保される場合、アップリンク制御チャネル容量が不十分であることがあり、したがって、いくつかのアップリンク制御情報がフィードバックされ得ず、データの不要な再送を引き起こし、リソース利用率が低減する。
【０１０１】
３０２．端末デバイスが、アップリンク制御情報を搬送するシンボルを第１の情報に基づいて決定する。
【０１０２】
この段階では、端末デバイスは、アップリンク制御情報を搬送するシンボルを第１の情報に基づいて決定する。
【０１０３】
さらに任意で、ダウンリンク制御情報が第２の情報をさらに含み、第２の情報が、アップリンク制御情報を搬送するサブフレームを示すために使用されるとき、この段階は、端末デバイスが、アップリンク制御情報を搬送するサブフレームを第２の情報に基づいて決定する段階と、端末デバイスが、アップリンク制御情報を搬送するサブフレームにおける、アップリンク制御情報を搬送するシンボルを第１の情報に基づいて決定する段階とを有してよい。
【０１０４】
さらに任意で、ダウンリンク制御情報が第３の情報をさらに含み、第３の情報が、アップリンク制御情報を搬送するシンボルにおける、アップリンク制御情報を搬送するアップリンク制御チャネルに対応する周波数領域リソースおよび／または符号リソースを示すために使用されるとき、この段階は、端末デバイスが、当該シンボルにおける、アップリンク制御情報を搬送するアップリンク制御チャネルに対応する周波数領域リソースおよび／または符号リソースを第３の情報に基づいて決定する段階であって、当該シンボルは、アップリンク制御情報を搬送し、アップリンク制御情報を搬送するサブフレーム内にある、段階をさらに有してよい。
【０１０５】
さらに任意で、ダウンリンク制御情報が第３の情報をさらに含み、第３の情報が、アップリンク制御情報を搬送するシンボルにおける、アップリンク制御情報を搬送するアップリンク制御チャネルに対応するアップリンク制御チャネルインデックスを示すために使用され、アップリンク制御チャネルインデックスが、アップリンク制御チャネルに対応する周波数領域リソースおよび／または符号リソースをアップリンク制御チャネルインデックスに基づいて決定するために端末デバイスによって使用されるとき、この段階は、端末デバイスが、アップリンク制御情報を搬送するシンボルにおける、アップリンク制御情報を搬送するアップリンク制御チャネルに対応するアップリンク制御チャネルインデックスを第３の情報に基づいて決定する段階と、端末デバイスが、アップリンク制御チャネルに対応する周波数領域リソースおよび／または符号リソースをアップリンク制御チャネルインデックスに基づいて決定する段階とをさらに有してよい。
【０１０６】
さらに任意で、第１の情報がアップリンク制御情報を搬送するシンボルを示すために使用されることは、第１の情報がアップリンク制御情報を搬送する開始シンボルを示すために使用されることであってよい。この場合、ダウンリンク制御情報は第４の情報をさらに含んでよく、第４の情報は、アップリンク制御情報を搬送する終了シンボルを示すために使用される。この段階は、端末デバイスが、アップリンク制御情報を搬送する開始シンボルを第１の情報に基づいて決定する段階と、端末デバイスが、アップリンク制御情報を搬送する終了シンボルを第４の情報に基づいて決定する段階とをさらに有してよい。
【０１０７】
さらに任意で、第１の情報は２ビットの情報フィールドに対応しており、端末デバイスが、アップリンク制御情報を搬送するシンボルを第１の情報に基づいて決定する段階は、第１の情報に対応する２ビットの情報フィールドが００である場合、端末デバイスが、アップリンク制御情報を搬送するシンボルはアップリンク制御情報を搬送するサブフレームにおける最後のシンボルであると決定する段階であり、第１の情報に対応する２ビットの情報フィールドが０１である場合、端末デバイスが、アップリンク制御情報を搬送するシンボルが最後から２番目のシンボル、すなわち、アップリンク制御情報を搬送するサブフレームにおける最後のシンボルの前のシンボルであると決定する段階であり、第１の情報に対応する２ビットの情報フィールドが１０である場合、端末デバイスが、アップリンク制御情報を搬送するシンボルはアップリンク制御情報を搬送するサブフレームにおける２番目のシンボルであると決定する段階であり、または、第１の情報に対応する２ビットの情報フィールドが１１である場合、端末デバイスが、アップリンク制御情報を搬送するシンボルはアップリンク制御情報を搬送するサブフレームにおける３番目のシンボルであると決定する段階であってよい。
【０１０８】
あるいは、端末デバイスが、アップリンク制御情報を搬送するシンボルを第１の情報に基づいて決定する段階は、第１の情報に対応する２ビットの情報フィールドが１１である場合、端末デバイスが、アップリンク制御情報を搬送するシンボルはアップリンク制御情報を搬送するサブフレームにおける最後のシンボルであると決定する段階であり、第１の情報に対応する２ビットの情報フィールドが１０である場合、端末デバイスが、アップリンク制御情報を搬送するシンボルは、最後から２番目のシンボル、すなわち、アップリンク制御情報を搬送するサブフレームにおける最後のシンボルの前のシンボルであると決定する段階であり、第１の情報に対応する２ビットの情報フィールドが００である場合、端末デバイスが、アップリンク制御情報を搬送するシンボルはアップリンク制御情報を搬送するサブフレームにおける２番目のシンボルであると決定する段階であり、または、第１の情報に対応する２ビットの情報フィールドが０１である場合、端末デバイスが、アップリンク制御情報を搬送するシンボルはアップリンク制御情報を搬送するサブフレームにおける３番目のシンボルであると決定する段階であってよい。
【０１０９】
あるいは、端末デバイスが、アップリンク制御情報を搬送するシンボルを第１の情報に基づいて決定する段階は、第１の情報に対応する２ビットの情報フィールドが００である場合、端末デバイスが、アップリンク制御情報を搬送するシンボルはアップリンク制御情報を搬送するサブフレームにおける最後のシンボルであると決定する段階であり、第１の情報に対応する２ビットの情報フィールドが０１である場合、端末デバイスが、アップリンク制御情報を搬送するシンボルが、最後から２番目のシンボル、すなわち、アップリンク制御情報を搬送するサブフレームにおける最後のシンボルの前のシンボルであると決定する段階であり、第１の情報に対応する２ビットの情報フィールドが１０である場合、端末デバイスが、アップリンク制御情報を搬送するシンボルはアップリンク制御情報を搬送するサブフレームにおける２番目のシンボルであると決定する段階であり、または、第１の情報に対応する２ビットの情報フィールドが１１である場合、端末デバイスが、アップリンク制御情報を搬送するシンボルはアップリンク制御情報を搬送するサブフレームにおける、アップリンク伝送に使用されるすべてシンボルであると決定する段階であってよい。
【０１１０】
さらに任意で、第１の情報は３ビットの情報フィールドに対応しており、端末デバイスが、アップリンク制御情報を搬送するシンボルを第１の情報に基づいて決定する段階は、第１の情報に対応する３ビットの情報フィールドが０００である場合、端末デバイスが、アップリンク制御情報を搬送するシンボルはアップリンク制御情報を搬送するサブフレームにおける１番目のシンボルであると決定する段階であり、第１の情報に対応する３ビットの情報フィールドが００１である場合、端末デバイスが、アップリンク制御情報を搬送するシンボルはアップリンク制御情報を搬送するサブフレームにおける２番目のシンボルであると決定する段階であり、第１の情報に対応する３ビットの情報フィールドが０１０である場合、端末デバイスが、アップリンク制御情報を搬送するシンボルはアップリンク制御情報を搬送するサブフレームにおける３番目のシンボルであると決定する段階であり、第１の情報に対応する３ビットの情報フィールドが０１１である場合、端末デバイスが、アップリンク制御情報を搬送するシンボルはアップリンク制御情報を搬送するサブフレームにおける４番目のシンボルであると決定する段階であり、第１の情報に対応する３ビットの情報フィールドが１００である場合、端末デバイスが、アップリンク制御情報を搬送するシンボルはアップリンク制御情報を搬送するサブフレームにおける５番目のシンボルであると決定する段階であり、第１の情報に対応する３ビットの情報フィールドが１０１である場合、端末デバイスが、アップリンク制御情報を搬送するシンボルはアップリンク制御情報を搬送するサブフレームにおける６番目のシンボルであると決定する段階であり、第１の情報に対応する３ビットの情報フィールドが１１０である場合、端末デバイスが、アップリンク制御情報を搬送するシンボルはアップリンク制御情報を搬送するサブフレームにおける７番目のシンボルであると決定する段階であり、または、第１の情報に対応する３ビットの情報フィールドが１１１である場合、端末デバイスが、アップリンク制御情報を搬送するシンボルはアップリンク制御情報を搬送するサブフレームにおける、アップリンク伝送に使用されるすべてシンボルであるか、もしくは当該フィールドは予備状態（すなわち意味をもたない）と決定する段階であってよい。
【０１１１】
この場合、アップリンク制御情報を搬送するサブフレームは７つのシンボルを含んでよい。
【０１１２】
さらに任意で、端末デバイスが、アップリンク制御情報を搬送するシンボルを第１の情報に基づいて決定する段階は、第１の情報に対応する４ビットの情報フィールドが００００である場合、端末デバイスが、アップリンク制御情報を搬送するシンボルはアップリンク制御情報を搬送するサブフレームにおける１番目のシンボルであると決定する段階であり、第１の情報に対応する４ビットの情報フィールドが０００１である場合、端末デバイスが、アップリンク制御情報を搬送するシンボルはアップリンク制御情報を搬送するサブフレームにおける２番目のシンボルであると決定する段階であり、第１の情報に対応する４ビットの情報フィールドが００１０である場合、端末デバイスが、アップリンク制御情報を搬送するシンボルはアップリンク制御情報を搬送するサブフレームにおける３番目のシンボルであると決定する段階であり、第１の情報に対応する４ビットの情報フィールドが００１１である場合、端末デバイスが、アップリンク制御情報を搬送するシンボルはアップリンク制御情報を搬送するサブフレームにおける４番目のシンボルであると決定する段階であり、第１の情報に対応する４ビットの情報フィールドが０１００である場合、端末デバイスが、アップリンク制御情報を搬送するシンボルはアップリンク制御情報を搬送するサブフレームにおける５番目のシンボルであると決定する段階であり、第１の情報に対応する４ビットの情報フィールドが０１０１である場合、端末デバイスが、アップリンク制御情報を搬送するシンボルはアップリンク制御情報を搬送するサブフレームにおける６番目のシンボルであると決定する段階であり、第１の情報に対応する４ビットの情報フィールドが０１１０である場合、端末デバイスが、アップリンク制御情報を搬送するシンボルはアップリンク制御情報を搬送するサブフレームにおける７番目のシンボルであると決定する段階であり、第１の情報に対応する４ビットの情報フィールドが０１１１である場合、端末デバイスが、アップリンク制御情報を搬送するシンボルはアップリンク制御情報を搬送するサブフレームにおける８番目のシンボルであると決定する段階であり、第１の情報に対応する４ビットの情報フィールドが１０００である場合、端末デバイスが、アップリンク制御情報を搬送するシンボルはアップリンク制御情報を搬送するサブフレームにおける９番目のシンボルであると決定する段階であり、第１の情報に対応する４ビットの情報フィールドが１００１である場合、端末デバイスが、アップリンク制御情報を搬送するシンボルはアップリンク制御情報を搬送するサブフレームにおける１０番目のシンボルであると決定する段階であり、第１の情報に対応する４ビットの情報フィールドが１０１０である場合、端末デバイスが、アップリンク制御情報を搬送するシンボルはアップリンク制御情報を搬送するサブフレームにおける１１番目のシンボルであると決定する段階であり、第１の情報に対応する４ビットの情報フィールドが１０１１である場合、端末デバイスが、アップリンク制御情報を搬送するシンボルはアップリンク制御情報を搬送するサブフレームにおける１２番目のシンボルであると決定する段階であり、第１の情報に対応する４ビットの情報フィールドが１１００である場合、端末デバイスが、アップリンク制御情報を搬送するシンボルはアップリンク制御情報を搬送するサブフレームにおける１３番目のシンボルであると決定する段階であり、第１の情報に対応する４ビットの情報フィールドが１１０１である場合、端末デバイスが、アップリンク制御情報を搬送するシンボルはアップリンク制御情報を搬送するサブフレームにおける１４番目のシンボルであると決定する段階であり、または、第１の情報に対応する４ビットの情報フィールドが１１１０もしくは１１１１である場合、端末デバイスが、アップリンク制御情報を搬送するシンボルはアップリンク制御情報を搬送するサブフレームにおける、アップリンク伝送に使用されるすべてのシンボルであるか、もしくは当該フィールドは予備状態（すなわち意味をもたない）と決定する段階であってよい。
【０１１３】
この場合、アップリンク制御情報を搬送するサブフレームは１４個のシンボルを含んでよい。
【０１１４】
さらに任意で、ダウンリンク制御情報は、ダウンリンク共有チャネル伝送をスケジューリングするために使用され、アップリンク制御情報は、ダウンリンク共有チャネル伝送に対応するハイブリッド自動再送要求である。
【０１１５】
さらに任意で、ダウンリンク制御情報はサブフレームｎにおいて搬送され、ダウンリンク共有チャネル伝送は、サブフレームｎ＋ｋ１において搬送され、アップリンク制御情報は、サブフレームｎ＋ｋ１＋ｋ０において搬送される。ここで、ｋ１は、１より大きいかまたはそれに等しい整数であり、ｋ０は、０より大きいかまたはそれに等しい整数であり、ｋ０の値は、第２の情報に基づいて決定されてよく、ダウンリンク制御情報は第６の情報を含んでよく、第６の情報は、ｋ１の値を示すために使用される。
【０１１６】
さらに任意で、ダウンリンク制御情報を搬送するサブフレームは第４のサブフレームタイプであり、ダウンリンク共有チャネル伝送を搬送するサブフレームは第３のサブフレームタイプである。第３のサブフレームタイプにおけるダウンリンク伝送に使用されるシンボルは、主にダウンリンク制御チャネル伝送およびダウンリンクデータ伝送に使用され、第３のサブフレームタイプにおけるアップリンク伝送に使用されるシンボルは、主にアップリンク制御情報伝送および／またはアップリンク基準信号伝送に使用され、例えばＳＲＳ伝送に使用される。第４のサブフレームタイプにおけるダウンリンク伝送に使用されるシンボルは、主にダウンリンク制御チャネル伝送に使用され、第４のサブフレームタイプにおけるアップリンク伝送に使用されるシンボルは、主にアップリンクデータ伝送、アップリンク制御情報伝送、およびアップリンク基準信号伝送に使用される。
【０１１７】
３０３．端末デバイスが、アップリンク制御情報を搬送するシンボルにアップリンク制御情報をマッピングし、アップリンク制御情報をネットワークデバイスに送信する。
【０１１８】
この段階において、端末デバイスは、アップリンク制御情報を搬送するシンボルにアップリンク制御情報をマッピングし、アップリンク制御情報をネットワークデバイスに送信する。
【０１１９】
本出願のこの実施形態では、特段明示しない限り、段階間の順番は限定されておらず、段階間の依存性は限定されていないことに留意されたい。
【０１２０】
図１のネットワークデバイスは、図７のネットワークデバイス４００を使用することによって実装されてよい。ネットワークデバイス４００の組織構造の概略図を図７に示す。ネットワークデバイス４００は、プロセッサ４０２とメモリ４０４と送受信機４０６とを備え、バス４０８をさらに備えてよい。
【０１２１】
バス４０８を使用することによって、プロセッサ４０２とメモリ４０４と送受信機４０６との間の通信接続が実装されてよく、または、ワイヤレス伝送などの他の手段を使用することによって、プロセッサ４０２とメモリ４０４と送受信機４０６との間の通信が実装されてよい。
【０１２２】
メモリ４０４は、例えばランダムアクセスメモリ（ｒａｎｄｏｍ  ａｃｃｅｓｓ  ｍｅｍｏｒｙ、略してＲＡＭ）といった揮発性メモリ（英語：ｖｏｌａｔｉｌｅ  ｍｅｍｏｒｙ）を含んでよい。メモリはまた、例えばリードオンリメモリ（英語：ｒｅａｄ−ｏｎｌｙ  ｍｅｍｏｒｙ、略してＲＯＭ）、フラッシュメモリ（英語：ｆｌａｓｈ  ｍｅｍｏｒｙ）、ハードディスク（英語：ｈａｒｄ  ｄｉｓｋ  ｄｒｉｖｅ、略してＨＤＤ）、またはソリッドステートドライブ（英語：ｓｏｌｉｄ−ｓｔａｔｅ  ｄｒｉｖｅ、略してＳＳＤ）といった不揮発性メモリ（英語：ｎｏｎ−ｖｏｌａｔｉｌｅ  ｍｅｍｏｒｙ）を含んでよい。あるいは、メモリ４０４は、上述のタイプのメモリの組み合わせを含んでよい。本出願において提供される技術的解決手段がソフトウェアを使用することによって実装されるとき、本出願の図８において提供される情報伝送方法を実装するために使用されるプログラムコードがメモリ４０４に記憶され、プロセッサ４０２によって実行される。
【０１２３】
ネットワークデバイス４００は、送受信機４０６を使用することによって端末デバイスと通信する。
【０１２４】
プロセッサ４０２は、ＣＰＵであってよい。
【０１２５】
本出願のこの実施形態において、ダウンリンク制御情報は第１の情報を含み、第１の情報は、アップリンク制御情報を搬送するシンボルを示すために使用され、プロセッサ４０２は、送受信機４０６を使用することによってダウンリンク制御情報を送信し、送受信機４０６を使用することによって、端末デバイスが送信したアップリンク制御情報を、アップリンク制御情報を搬送するシンボルにおいて受信する。したがって、端末デバイスが送信したアップリンク制御情報を、アップリンク制御情報を搬送するシンボルにおいて受信することによって、高速ハイブリッド自動再送要求フィードバックおよび高速再送が可能になり、それによって遅延が低減され、また、ＦＤＤシステムおよびＴＤＤシステムに同一の解決手段を使用することが可能になり、同一のＨＡＲＱタイミング伝送間隔を使用することが可能になる。これによって、ＨＡＲＱタイミングが柔軟であるために異なるサブフレームにおけるアップリンク制御情報が異なるリソースを必要とするという問題に柔軟に対処できるだけでなく、各サブフレームにおいてアップリンク制御チャネルを伝送するために使用されるリソースを柔軟に変化させることを可能にもでき、それによって、固定のアップリンク制御チャネルリソースを確保する場合と比較してリソース利用率が向上する。
【０１２６】
任意で、ダウンリンク制御情報は第２の情報をさらに含み、第２の情報は、アップリンク制御情報を搬送するサブフレームを示すために使用され、アップリンク制御情報を搬送するシンボルは、アップリンク制御情報を搬送するサブフレームにおけるシンボルである。
【０１２７】
任意で、ダウンリンク制御情報は第３の情報をさらに含む。第３の情報は、アップリンク制御情報を搬送するシンボルにおける、アップリンク制御情報を搬送するアップリンク制御チャネルに対応する周波数領域リソースおよび／または符号リソースを示すために使用される。
【０１２８】
任意で、アップリンク制御情報を搬送するシンボルは、アップリンク制御情報を搬送する開始シンボルである。
【０１２９】
任意で、ダウンリンク制御情報は第４の情報をさらに含み、第４の情報は、アップリンク制御情報を搬送する終了シンボルを示すために使用される。
【０１３０】
任意で、第１の情報は２ビットの情報フィールドに対応しており、アップリンク制御情報を搬送するシンボルは、第１の情報に対応する２ビットの情報フィールドが００である場合、アップリンク制御情報を搬送するシンボルは、アップリンク制御情報を搬送するサブフレームにおける最後のシンボルであり、第１の情報に対応する２ビットの情報フィールドが０１である場合、アップリンク制御情報を搬送するシンボルは、アップリンク制御情報を搬送するサブフレームにおける最後のシンボルの前のシンボルであり、第１の情報に対応する２ビットの情報フィールドが１０である場合、アップリンク制御情報を搬送するシンボルは、アップリンク制御情報を搬送するサブフレームにおける２番目のシンボルであり、または、第１の情報に対応する２ビットの情報フィールドが１１である場合、アップリンク制御情報を搬送するシンボルは、アップリンク制御情報を搬送するサブフレームにおける３番目のシンボルである。
【０１３１】
任意で、第１の情報は３ビットの情報フィールドに対応しており、アップリンク制御情報を搬送するサブフレームは７つのシンボルを含むか、または、第１の情報は４ビットの情報フィールドに対応しており、アップリンク制御情報を搬送するサブフレームは１４個のシンボルを含む。
【０１３２】
任意で、ダウンリンク制御情報は、ダウンリンク共有チャネル伝送をスケジューリングするために使用され、アップリンク制御情報は、ダウンリンク共有チャネル伝送に対応するハイブリッド自動再送要求である。
【０１３３】
任意で、ダウンリンク制御情報を搬送するサブフレームは第４のサブフレームタイプであり、ダウンリンク共有チャネル伝送を搬送するサブフレームは第３のサブフレームタイプであり、第３のサブフレームタイプおよび第４のサブフレームタイプは共に、ダウンリンク伝送に使用されるシンボル、ガード期間、およびアップリンク伝送に使用されるシンボルを含む。
【０１３４】
任意で、ダウンリンク制御情報はサブフレームｎにおいて搬送され、ダウンリンク共有チャネル伝送はサブフレームｎ＋ｋ１において搬送され、アップリンク制御情報は、サブフレームｎ＋ｋ１＋ｋ０において搬送され、ｋ１は、１より大きいかまたはそれに等しい整数であり、ｋ０は、０より大きいかまたはそれに等しい整数である。
【０１３５】
任意で、ダウンリンク制御情報は第５の情報を含み、第５の情報はチャネル状態情報の報告を誘発するために使用され、アップリンク制御情報はチャネル状態情報である。
【０１３６】
本出願は、情報伝送方法をさらに提供する。図１および図７のネットワークデバイスが、動作中に当該方法を行う。当該方法の概略フローチャートを図８に示す。
【０１３７】
５０１．ネットワークデバイスが、ダウンリンク制御情報を送信する。ここで、ダウンリンク制御情報は第１の情報を含み、第１の情報は、アップリンク制御情報を搬送するシンボルを示すために使用される。
【０１３８】
この段階において、ネットワークデバイスが、ダウンリンク制御情報を送信する段階であって、ダウンリンク制御情報は第１の情報を含み、第１の情報は、アップリンク制御情報を搬送するシンボルを示すために使用される、段階は、ネットワークデバイスが、ダウンリンク制御チャネルを送信する段階であって、ダウンリンク制御チャネルにおいて搬送されるダウンリンク制御情報は第１の情報を含み、第１の情報は、アップリンク制御情報を搬送するシンボルを示すために使用される、段階であってよい。
【０１３９】
あるいは、ネットワークデバイスが、ダウンリンク制御情報を送信する段階であって、ダウンリンク制御情報は第１の情報を含み、第１の情報は、アップリンク制御情報を搬送するシンボルを示すために使用される、段階は、ネットワークデバイスが、ダウンリンク制御チャネルを送信する段階であって、ダウンリンク制御チャネルに対応するダウンリンク制御情報フォーマットは第１の情報フィールドを含み、第１の情報フィールドは、アップリンク制御情報を搬送するシンボルを示すために使用される、段階であってよい。
【０１４０】
あるいは、ネットワークデバイスが、ダウンリンク制御情報を送信する段階であって、ダウンリンク制御情報は第１の情報を含み、第１の情報は、アップリンク制御情報を搬送するシンボルを示すために使用される、段階は、ネットワークデバイスが、ダウンリンク制御情報フォーマットを送信する段階であって、ダウンリンク制御情報フォーマットは第１の情報フィールドを含み、第１の情報フィールドは、アップリンク制御情報を搬送するシンボルを示すために使用される、段階であってよい。
【０１４１】
この段階の他の説明は、この実施形態の段階３０１の説明と同じであり、ここで詳細は再度説明しない。
【０１４２】
さらに任意で、段階５０１、すなわち、ネットワークデバイスが、ダウンリンク制御情報を送信する段階であって、ダウンリンク制御情報が第１の情報を含み、第１の情報は、アップリンク制御情報を搬送するシンボルを示すために使用される、段階は、以下の段階を有してよい。
【０１４３】
５０１−ａ．ネットワークデバイスが、アップリンク制御情報を搬送するシンボルを決定する。
【０１４４】
段階５０１−ａにおいて、ネットワークデバイスは、アップリンク制御情報を搬送するシンボルを実際のシナリオに基づいて決定してよい。例えば、図４に示すシナリオでは、高速再送が可能である必要がある場合、ネットワークデバイスは、アップリンク制御情報を搬送するシンボルがサブフレームｎの最後から２番目のシンボルであると決定する。図５に示すシナリオでは、ＦＤＤシステムにおける高速ＨＡＲＱ−ＡＣＫフィードバックが可能である必要がある場合、ネットワークデバイスは、アップリンク制御情報を搬送するシンボルがサブフレームｎ＋１における２番目のシンボルであると決定してよい。図６に示すシナリオでは、サブフレームｎに対応するアップリンク制御情報を搬送するシンボルがサブフレームｎ＋２における最後から２番目のシンボルであるとネットワークデバイスが決定し得る場合、サブフレームｎ＋１に対応するアップリンク制御情報を搬送するシンボルは、サブフレームｎ＋２における最後のシンボルである。
【０１４５】
５０１−ｂ：ネットワークデバイスが、アップリンク制御情報を搬送するシンボルに基づいてダウンリンク制御情報における第１の情報を決定する。
【０１４６】
さらに任意で、段階５０１−ｂにおいて、ネットワークデバイスが、アップリンク制御情報を搬送するシンボルに基づいてダウンリンク制御情報における第１の情報を決定する段階、および、第１の情報が２ビットの情報フィールドに対応していることは、アップリンク制御情報を搬送するシンボルがアップリンク制御情報を搬送するサブフレームにおける最後のシンボルである場合、ネットワークデバイスが、第１の情報に対応する２ビットの情報フィールドは００であると決定する段階、アップリンク制御情報を搬送するシンボルがアップリンク制御情報を搬送するサブフレームにおける最後から２番目のシンボルである場合、ネットワークデバイスが、第１の情報に対応する２ビットの情報フィールドは０１であると決定する段階、アップリンク制御情報を搬送するシンボルがアップリンク制御情報を搬送するサブフレームにおける２番目のシンボルである場合、ネットワークデバイスが、第１の情報に対応する２ビットの情報フィールドは１０であると決定する段階、もしくは、アップリンク制御情報を搬送するシンボルがアップリンク制御情報を搬送するサブフレームにおける３番目のシンボルである場合、ネットワークデバイスが、第１の情報に対応する２ビットの情報フィールドは１１であると決定する段階か、または、アップリンク制御情報を搬送するシンボルがアップリンク制御情報を搬送するサブフレームにおける最後のシンボルである場合、ネットワークデバイスが、第１の情報に対応する２ビットの情報フィールドは１１であると決定する段階、アップリンク制御情報を搬送するシンボルがアップリンク制御情報を搬送するサブフレームにおける最後から２番目のシンボルである場合、ネットワークデバイスが、第１の情報に対応する２ビットの情報フィールドは１０であると決定する段階、アップリンク制御情報を搬送するシンボルがアップリンク制御情報を搬送するサブフレームにおける２番目のシンボルである場合、ネットワークデバイスが、第１の情報に対応する２ビットの情報フィールドは００であると決定する段階、もしくは、アップリンク制御情報を搬送するシンボルがアップリンク制御情報を搬送するサブフレームにおける３番目のシンボルである場合、ネットワークデバイスが、第１の情報に対応する２ビットの情報フィールドは０１であると決定する段階か、または、アップリンク制御情報を搬送するシンボルがアップリンク制御情報を搬送するサブフレームにおける最後のシンボルである場合、ネットワークデバイスが、第１の情報に対応する２ビットの情報フィールドは００であると決定する段階、アップリンク制御情報を搬送するシンボルがアップリンク制御情報を搬送するサブフレームにおける最後から２番目のシンボルである場合、ネットワークデバイスが、第１の情報に対応する２ビットの情報フィールドは０１であると決定する段階、アップリンク制御情報を搬送するシンボルがアップリンク制御情報を搬送するサブフレームにおける２番目のシンボルである場合、ネットワークデバイスが、第１の情報に対応する２ビットの情報フィールドは１０であると決定する段階、もしくは、アップリンク制御情報を搬送するシンボルがアップリンク制御情報を搬送するサブフレームにおけるすべてのシンボルである場合、ネットワークデバイスが、第１の情報に対応する２ビットの情報フィールドは１１であると決定する段階を含んでよい。
【０１４７】
さらに任意で、段階５０１−ｂにおいて、ネットワークデバイスが、アップリンク制御情報を搬送するシンボルに基づいてダウンリンク制御情報における第１の情報を決定する段階、および、第１の情報が３ビットの情報フィールドに対応していることは、アップリンク制御情報を搬送するシンボルがアップリンク制御情報を搬送するサブフレームにおける１番目のシンボルである場合、ネットワークデバイスが、第１の情報に対応する３ビットの情報フィールドは０００であると決定する段階、アップリンク制御情報を搬送するシンボルがアップリンク制御情報を搬送するサブフレームにおける２番目のシンボルである場合、ネットワークデバイスが、第１の情報に対応する３ビットの情報フィールドは００１であると決定する段階、アップリンク制御情報を搬送するシンボルがアップリンク制御情報を搬送するサブフレームにおける３番目のシンボルである場合、ネットワークデバイスが、第１の情報に対応する３ビットの情報フィールドは０１０であると決定する段階、アップリンク制御情報を搬送するシンボルがアップリンク制御情報を搬送するサブフレームにおける４番目のシンボルである場合、ネットワークデバイスが、第１の情報に対応する３ビットの情報フィールドは０１１であると決定する段階、アップリンク制御情報を搬送するシンボルがアップリンク制御情報を搬送するサブフレームにおける５番目のシンボルである場合、ネットワークデバイスが、第１の情報に対応する３ビットの情報フィールドは１００であると決定する段階、アップリンク制御情報を搬送するシンボルがアップリンク制御情報を搬送するサブフレームにおける６番目のシンボルである場合、ネットワークデバイスが、第１の情報に対応する３ビットの情報フィールドは１０１であると決定する段階、または、アップリンク制御情報を搬送するシンボルがアップリンク制御情報を搬送するサブフレームにおける７番目のシンボルである場合、ネットワークデバイスが、第１の情報に対応する３ビットの情報フィールドは１１０であると決定する段階を含んでよい。
【０１４８】
この場合、アップリンク制御情報を搬送するサブフレームは７つのシンボルを含んでよい。
【０１４９】
さらに任意で、段階５０１−ｂにおいて、ネットワークデバイスが、アップリンク制御情報を搬送するシンボルに基づいてダウンリンク制御情報における第１の情報を決定する段階、および、第１の情報が４ビットの情報フィールドに対応していることは、アップリンク制御情報を搬送するシンボルがアップリンク制御情報を搬送するサブフレームにおける１番目のシンボルである場合、ネットワークデバイスが、第１の情報に対応する４ビットの情報フィールドは００００であると決定する段階、アップリンク制御情報を搬送するシンボルがアップリンク制御情報を搬送するサブフレームにおける２番目のシンボルである場合、ネットワークデバイスが、第１の情報に対応する４ビットの情報フィールドは０００１であると決定する段階、アップリンク制御情報を搬送するシンボルがアップリンク制御情報を搬送するサブフレームにおける３番目のシンボルである場合、ネットワークデバイスが、第１の情報に対応する４ビットの情報フィールドは００１０であると決定する段階、アップリンク制御情報を搬送するシンボルがアップリンク制御情報を搬送するサブフレームにおける４番目のシンボルである場合、ネットワークデバイスが、第１の情報に対応する４ビットの情報フィールドは００１１であると決定する段階、アップリンク制御情報を搬送するシンボルがアップリンク制御情報を搬送するサブフレームにおける５番目のシンボルである場合、ネットワークデバイスが、第１の情報に対応する４ビットの情報フィールドは０１００であると決定する段階、アップリンク制御情報を搬送するシンボルがアップリンク制御情報を搬送するサブフレームにおける６番目のシンボルである場合、ネットワークデバイスが、第１の情報に対応する４ビットの情報フィールドは０１０１であると決定する段階、アップリンク制御情報を搬送するシンボルがアップリンク制御情報を搬送するサブフレームにおける７番目のシンボルである場合、ネットワークデバイスが、第１の情報に対応する４ビットの情報フィールドは０１１０であると決定する段階、アップリンク制御情報を搬送するシンボルがアップリンク制御情報を搬送するサブフレームにおける８番目のシンボルである場合、ネットワークデバイスが、第１の情報に対応する４ビットの情報フィールドは０１１１であると決定する段階、アップリンク制御情報を搬送するシンボルがアップリンク制御情報を搬送するサブフレームにおける９番目のシンボルである場合、ネットワークデバイスが、第１の情報に対応する４ビットの情報フィールドは１０００であると決定する段階、アップリンク制御情報を搬送するシンボルがアップリンク制御情報を搬送するサブフレームにおける１０番目のシンボルである場合、ネットワークデバイスが、第１の情報に対応する４ビットの情報フィールドは１００１であると決定する段階、アップリンク制御情報を搬送するシンボルがアップリンク制御情報を搬送するサブフレームにおける１１番目のシンボルである場合、ネットワークデバイスが、第１の情報に対応する４ビットの情報フィールドは１０１０であると決定する段階、アップリンク制御情報を搬送するシンボルがアップリンク制御情報を搬送するサブフレームにおける１２番目のシンボルである場合、ネットワークデバイスが、第１の情報に対応する４ビットの情報フィールドは１０１１であると決定する段階、アップリンク制御情報を搬送するシンボルがアップリンク制御情報を搬送するサブフレームにおける１３番目のシンボルである場合、ネットワークデバイスが、第１の情報に対応する４ビットの情報フィールドは１１００であると決定する段階、または、アップリンク制御情報を搬送するシンボルがアップリンク制御情報を搬送するサブフレームにおける１４番目のシンボルである場合、ネットワークデバイスが、第１の情報に対応する４ビットの情報フィールドは１１０１であると決定する段階を含んでよい。
【０１５０】
この場合、アップリンク制御情報を搬送するサブフレームは１４個のシンボルを含んでよい。
【０１５１】
５０１−ｃ：ネットワークデバイスが、ダウンリンク制御情報を送信する。ここで、ダウンリンク制御情報における第１の情報は、アップリンク制御情報を搬送するシンボルを示すために使用される。
【０１５２】
５０２．ネットワークデバイスが、端末デバイスが送信したアップリンク制御情報を、アップリンク制御情報を搬送するシンボルにおいて受信する。
【０１５３】
この段階では、ネットワークデバイスは、端末デバイスが送信したアップリンク制御情報を、アップリンク制御情報を搬送するシンボルにおいて受信する。
【０１５４】
さらに任意で、ダウンリンク制御情報が第２の情報をさらに含み、第２の情報が、アップリンク制御情報を搬送するサブフレームを示すために使用されるとき、段階５０２は、ネットワークデバイスが、端末デバイスが送信したアップリンク制御情報を、アップリンク制御情報を搬送するサブフレームにおける、アップリンク制御情報を搬送するシンボルにおいて受信する段階を有してよい。
【０１５５】
さらに任意で、ダウンリンク制御情報が第３の情報をさらに含み、第３の情報が、アップリンク制御情報を搬送するシンボルにおける、アップリンク制御情報を搬送するアップリンク制御チャネルに対応する周波数領域リソースおよび／または符号リソースを示すために使用されるとき、段階５０２は、ネットワークデバイスが、アップリンク制御情報を搬送するサブフレームにおける、アップリンク制御情報を搬送するシンボルにおいて、かつ、アップリンク制御情報を搬送するアップリンク制御チャネルに対応する周波数領域リソースにおいて、端末デバイスが送信したアップリンク制御情報を受信する段階をさらに有してよい。
【０１５６】
本出願のこの実施形態では、特段明示しない限り、段階間の順番は限定されておらず、段階間の依存性は限定されていないことに留意されたい。
【０１５７】
本出願の実施形態は、情報伝送装置６００をさらに提供する。装置６００は、図２に示す端末デバイス２００を使用することによって実装されてよく、または、特定用途向け集積回路（英語：ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）もしくはプログラマブルロジックデバイス（英語：ｐｒｏｇｒａｍｍａｂｌｅ  ｌｏｇｉｃ  ｄｅｖｉｃｅ、ＰＬＤ）を使用することによって実装されてよい。ＰＬＤは、コンプレックスプログラマブルロジックデバイス（ｃｏｍｐｌｅｘ  ｐｒｏｇｒａｍｍａｂｌｅ  ｌｏｇｉｃ  ｄｅｖｉｃｅ、ＣＰＬＤ）、ＦＰＧＡ、ジェネリックアレイロジック（ｇｅｎｅｒｉｃ  ａｒｒａｙ  ｌｏｇｉｃ、ＧＡＬ）、またはそれらの任意の組み合わせであってよい。情報伝送装置６００は、図３に示す情報伝送方法を実装するよう構成される。ソフトウェアを使用することによって図３に示す情報伝送方法を実装するとき、装置６００はソフトウェアモジュールであってもよい。
【０１５８】
情報伝送装置６００の組織構造の概略図を図９に示す。情報伝送装置６００は、処理ユニット６０２および送受信ユニット６０４を備える。動作中、処理ユニット６０２は、図３に示す情報伝送方法の段階３０２および段階３０３、ならびに段階３０２および段階３０３に係る任意選択の解決手段を行う。動作中、送受信ユニット６０４は、図３に示す情報伝送方法の段階３０１および段階３０１に係る任意選択の解決手段を行う。本出願のこの実施形態において、処理ユニット６０２は、図２に示すプロセッサ２０２によって実装されてもよく、送受信ユニット６０４は、図２に示す送受信機２０２によって実装されてもよいことに留意されたい。
【０１５９】
ダウンリンク制御情報を受信した後、情報伝送装置６００は、アップリンク制御情報を搬送するシンボルを第１の情報に基づいて決定し、アップリンク制御情報を搬送するシンボルにアップリンク制御情報をマッピングし、アップリンク制御情報をネットワークデバイスに送信する。したがって、アップリンク制御情報を搬送するシンボルにアップリンク制御情報をマッピングすることによって、高速ハイブリッド自動再送要求フィードバックおよび高速再送が可能になり、それによって遅延が低減され、また、ＦＤＤシステムおよびＴＤＤシステムに対して同一の解決手段を使用することが可能になり、同一のＨＡＲＱタイミング伝送間隔を使用することが可能になる。これによって、ＨＡＲＱタイミングが柔軟であるために異なるサブフレームにおけるアップリンク制御情報が異なるリソースを必要とするという問題に柔軟に対処できるだけでなく、各サブフレームにおいてアップリンク制御チャネルを伝送するために使用されるリソースを柔軟に変化させることを可能にもでき、それによって、固定のアップリンク制御チャネルリソースを確保する場合と比較してリソース利用率が向上する。
【０１６０】
本出願の実施形態は、情報伝送装置７００をさらに提供する。装置７００は、図７に示すネットワークデバイス４００を使用することによって実装されてよく、または、ＡＳＩＣもしくはＰＬＤを使用することによって実装されてよい。ＰＬＤは、コンプレックスプログラマブルロジックデバイスＣＰＬＤ、ＦＰＧＡ、ＧＡＬ、またはそれらの任意の組み合わせであってよい。情報伝送装置７００は、図８に示す情報伝送方法を実装するよう構成される。ソフトウェアを使用することによって図８に示す情報伝送方法を実装するとき、装置７００はソフトウェアモジュールであってもよい。
【０１６１】
情報伝送装置７００の組織構造の概略図を図１０に示す。情報伝送装置７００は、処理ユニット７０２および送受信ユニット７０４を備える。動作中、処理ユニット７０２は、図８に示す情報伝送方法の段階５０１および段階５０１に係る任意選択の解決手段を行う。動作中、送受信ユニット７０４は、図８に示す情報伝送方法の段階５０２および段階５０２に係る任意選択の解決手段を行う。本出願のこの実施形態において、処理ユニット７０２は、図７に示すプロセッサ４０２によって実装されてもよく、送受信ユニット７０４は、図７に示す送受信機４０２によって実装されてもよいことに留意されたい。
【０１６２】
情報伝送装置７００は、ダウンリンク制御情報を送信し、端末デバイスが送信したアップリンク制御情報を、アップリンク制御情報を搬送するシンボルにおいて受信する。したがって、端末デバイスが送信したアップリンク制御情報を、アップリンク制御情報を搬送するシンボルにおいて受信することによって、高速ハイブリッド自動再送要求フィードバックおよび高速再送が可能になり、それによって遅延が低減され、また、ＦＤＤシステムおよびＴＤＤシステムに同一の解決手段を使用することが可能になり、同一のＨＡＲＱタイミング伝送間隔を使用することが可能になる。これによって、ＨＡＲＱタイミングが柔軟であるために異なるサブフレームにおけるアップリンク制御情報が異なるリソースを必要とするという問題に柔軟に対処できるだけでなく、各サブフレームにおいてアップリンク制御チャネルを伝送するために使用されるリソースを柔軟に変化させることを可能にもでき、それによって、固定のアップリンク制御チャネルリソースを確保する場合と比較してリソース利用率が向上する。
【０１６３】
当業者であれば明確に理解し得るように、説明を簡便かつ簡潔にする目的で、上述の装置およびユニットの詳細な動作プロセスについては上述の方法の実施形態における対応するプロセスを参照してよく、ここで詳細は再度説明しない。
【０１６４】
本出願において提供されたいくつかの実施形態では、開示されているシステム、装置、および方法は、他の方式で実装されてよいことを理解されたい。例えば、説明されている装置の実施形態は一例に過ぎない。例えば、ユニットの分割は、論理的機能の分割に過ぎず、実際の実装においては他の分割であってよい。例えば、複数のユニットまたはコンポーネントが別のシステムに組み合わされ、もしくは統合されてよく、または、いくつかの特徴が無視され、もしくは実行されなくてよい。加えて、表示または説明されている相互結合もしくは直接結合または通信接続は、いくつかのインタフェースを使用することによって実装されてよい。装置間またはユニット間の間接結合または通信接続は、電気的形態、機械的形態、または他の形態で実装されてよい。
【０１６５】
別個の部分として説明されているユニットは、物理的に分かれていてもいなくてもよい。また、ユニットとして表示されている部分は、物理的なユニットであってもなくてもよく、一か所に位置していてよく、または、複数のネットワークユニットにおいて分散されてよい。実際の要件に応じて当該ユニットの一部または全部が選択されて、実施形態の解決手段の目的が実現されてよい。
【０１６６】
加えて、本出願の実施形態における機能ユニットが１つの処理ユニットに統合されてよく、または、当該ユニットの各々は物理的に単独で存在してよく、または、２つまたはそれより多くのユニットが１つのユニットに統合される。統合されたユニットは、ハードウェアの形態で実装されてよく、または、ソフトウェア機能ユニットの形態で実装されてよい。
【０１６７】
統合されたユニットがソフトウェア機能ユニットの形態で実装され、独立した製品として販売または使用されるとき、統合されたユニットは、コンピュータ可読記憶媒体に記憶されてよい。そのような理解に基づいて、本質的に本出願の技術的解決手段、または従来技術に寄与する部分、または技術的解決手段の全部もしくは一部が、ソフトウェア製品の形態で実装されてよい。ソフトウェア製品は、記憶媒体に記憶され、本出願の実施形態において説明されている方法の段階のうちの全部または一部を行うよう、（パーソナルコンピュータ、サーバ、またはネットワークデバイスであってよい）コンピュータデバイスに命令するためのいくつかの命令を含む。上述の記憶媒体は、ＵＳＢフラッシュドライブ、リムーバブルハードディスク、リードオンリメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、または光ディスクなどの、プログラムコードを記憶することができる任意の媒体を含む。
【０１６８】
当業者は、１または複数の上述の例において、本出願において説明されている機能がハードウェアまたはソフトウェアによって実装されてよいことを認識されたい。本発明がソフトウェアによって実装されるとき、上述の機能は、コンピュータ可読媒体に記憶されるか、または、コンピュータ可読媒体における１または複数の命令もしくはコードとして伝送されてよい。当該記憶媒体は、汎用コンピュータまたは専用コンピュータがアクセス可能な任意の利用可能な媒体であってよい。
【０１６９】
上述の実施形態は、本出願の技術的解決手段を説明することを意図しているに過ぎず、本出願を限定することを意図しているのではない。本出願が上述の実施形態に関連して詳細に説明されているが、当業者であれば、本出願の実施形態の技術的解決手段の趣旨および範囲から逸脱することなく、さらに、上述の実施形態において説明されている技術的解決手段に対して変更を加え、または、それらのいくつかの技術的特徴に対して等価な置き換えを行い得ることを理解されたい。
【図１】
2019527971.tif 000003
【図２】
2019527971.tif 000004
【図３】
2019527971.tif 000005
【図４】
2019527971.tif 000006
【図５】
2019527971.tif 000007
【図６】
2019527971.tif 000008
【図７】
2019527971.tif 000009
【図８】
2019527971.tif 000010
【図９】
2019527971.tif 000011
【図１０】
2019527971.tif 000012
【手続補正書】
【提出日】平成31年3月4日(2019.3.4)
【手続補正１】
【補正対象書類名】特許請求の範囲
【補正対象項目名】全文
【補正方法】変更
【補正の内容】
【特許請求の範囲】
【請求項１】
情報伝送方法であって、
端末デバイスが、ダウンリンク制御情報を受信する段階であって、前記ダウンリンク制御情報は第１の情報を含み、前記第１の情報は、アップリンク制御情報を搬送するシンボルを示すために使用される、段階と、
前記端末デバイスが、前記アップリンク制御情報を搬送する前記シンボルを前記第１の情報に基づいて決定する段階と、
前記端末デバイスが、前記アップリンク制御情報を搬送する前記シンボルに前記アップリンク制御情報をマッピングし、前記アップリンク制御情報をネットワークデバイスに送信する段階と
を備える
方法。
【請求項２】
前記アップリンク制御情報を搬送する前記シンボルは、前記アップリンク制御情報を搬送する開始シンボルである、
請求項１に記載の方法。
【請求項３】
前記ダウンリンク制御情報は第４の情報をさらに含み、前記第４の情報は、前記アップリンク制御情報を搬送する終了シンボルを示すために使用され、前記方法は、
前記端末デバイスが、前記アップリンク制御情報を搬送する前記終了シンボルを前記第４の情報に基づいて決定する段階をさらに備える、
請求項１または２に記載の方法。
【請求項４】
前記ダウンリンク制御情報は、ダウンリンク共有チャネル伝送をスケジューリングするために使用され、前記アップリンク制御情報は、前記ダウンリンク共有チャネル伝送に対応するハイブリッド自動再送要求である、
請求項１から３のいずれか一項に記載の方法。
【請求項５】
前記ダウンリンク制御情報はサブフレームｎにおいて搬送され、前記ダウンリンク共有チャネル伝送はサブフレームｎ＋ｋ１において搬送され、前記アップリンク制御情報はサブフレームｎ＋ｋ１＋ｋ０において搬送され、ｋ１は、１より大きいかまたはそれに等しい整数であり、ｋ０は、０より大きいかまたはそれに等しい整数である、
請求項４に記載の方法。
【請求項６】
前記ダウンリンク制御情報は第２の情報をさらに含み、前記第２の情報は、前記アップリンク制御情報を搬送するサブフレームを示すために使用され、前記端末デバイスが、前記アップリンク制御情報を搬送する前記シンボルを前記第１の情報に基づいて決定する前記段階は、
前記端末デバイスが、前記アップリンク制御情報を搬送する前記サブフレームを前記第２の情報に基づいて決定する段階と、
前記端末デバイスが、前記アップリンク制御情報を搬送する前記サブフレームにおける、前記アップリンク制御情報を搬送する前記シンボルを前記第１の情報に基づいて決定する段階と
を有する、
請求項１から５のいずれか一項に記載の方法。
【請求項７】
前記ダウンリンク制御情報は第５の情報をさらに含み、前記第５の情報は、チャネル状態情報の報告を誘発するために使用され、前記アップリンク制御情報は前記チャネル状態情報である、
請求項１から６のいずれか一項に記載の方法。
【請求項８】
情報伝送方法であって
ネットワークデバイスが、ダウンリンク制御情報を送信する段階であって、前記ダウンリンク制御情報は第１の情報を含み、前記第１の情報は、アップリンク制御情報を搬送するシンボルを示すために使用される、段階と、
前記ネットワークデバイスが、端末デバイスが送信した前記アップリンク制御情報を、前記アップリンク制御情報を搬送する前記シンボルにおいて受信する段階と
を備える
方法。
【請求項９】
前記アップリンク制御情報を搬送する前記シンボルは、前記アップリンク制御情報を搬送する開始シンボルである、
請求項８に記載の方法。
【請求項１０】
前記ダウンリンク制御情報は第４の情報を含み、前記第４の情報は、前記アップリンク制御情報を搬送する終了シンボルを示すために使用される、
請求項８または９に記載の方法。
【請求項１１】
前記ダウンリンク制御情報は、ダウンリンク共有チャネル伝送をスケジューリングするために使用され、前記アップリンク制御情報は、前記ダウンリンク共有チャネル伝送に対応するハイブリッド自動再送要求である、
請求項８から１０のいずれか一項に記載の方法。
【請求項１２】
前記ダウンリンク制御情報はサブフレームｎにおいて搬送され、前記ダウンリンク共有チャネル伝送はサブフレームｎ＋ｋ１において搬送され、前記アップリンク制御情報はサブフレームｎ＋ｋ１＋ｋ０において搬送され、ｋ１は、１より大きいかまたはそれに等しい整数であり、ｋ０は、０より大きいかまたはそれに等しい整数である、
請求項１１に記載の方法。
【請求項１３】
前記ダウンリンク制御情報は第２の情報をさらに含み、前記第２の情報は、前記アップリンク制御情報を搬送するサブフレームを示すために使用され、前記アップリンク制御情報を搬送する前記シンボルは、前記アップリンク制御情報を搬送する前記サブフレームにおけるシンボルである、
請求項８から１２のいずれか一項に記載の方法。
【請求項１４】
前記ダウンリンク制御情報は第５の情報を含み、前記第５の情報は、チャネル状態情報の報告を誘発するために使用され、前記アップリンク制御情報は前記チャネル状態情報である、
請求項８から１３のいずれか一項に記載の方法。
【請求項１５】
情報伝送装置であって、
ダウンリンク制御情報を受信するよう構成される送受信ユニットであって、前記ダウンリンク制御情報は第１の情報を含み、前記第１の情報は、アップリンク制御情報を搬送するシンボルを示すために使用される、送受信ユニットと、
前記アップリンク制御情報を搬送する前記シンボルを前記第１の情報に基づいて決定するよう構成される処理ユニットと
を備え、
前記処理ユニットはさらに、前記アップリンク制御情報を搬送する前記シンボルに前記アップリンク制御情報をマッピングし、前記送受信ユニットを使用することによって前記アップリンク制御情報をネットワークデバイスに送信するよう構成される、
装置。
【請求項１６】
前記アップリンク制御情報を搬送する前記シンボルは、前記アップリンク制御情報を搬送する開始シンボルである、
請求項１５に記載の装置。
【請求項１７】
前記ダウンリンク制御情報は第４の情報をさらに含み、前記第４の情報は、前記アップリンク制御情報を搬送する終了シンボルを示すために使用され、前記処理ユニットはさらに、
前記アップリンク制御情報を搬送する前記終了シンボルを前記第４の情報に基づいて決定するよう構成される、
請求項１５または１６に記載の装置。
【請求項１８】
前記ダウンリンク制御情報は、ダウンリンク共有チャネル伝送をスケジューリングするために使用され、前記アップリンク制御情報は、前記ダウンリンク共有チャネル伝送に対応するハイブリッド自動再送要求である、
請求項１５から１７のいずれか一項に記載の装置。
【請求項１９】
前記ダウンリンク制御情報はサブフレームｎにおいて搬送され、前記ダウンリンク共有チャネル伝送はサブフレームｎ＋ｋ１において搬送され、前記アップリンク制御情報はサブフレームｎ＋ｋ１＋ｋ０において搬送され、ｋ１は、１より大きいかまたはそれに等しい整数であり、ｋ０は、０より大きいかまたはそれに等しい整数である、
請求項１８に記載の装置。
【請求項２０】
前記ダウンリンク制御情報は第２の情報をさらに含み、前記第２の情報は、前記アップリンク制御情報を搬送するサブフレームを示すために使用され、
前記処理ユニットは、前記アップリンク制御情報を搬送する前記サブフレームを前記第２の情報に基づいて決定し、
前記アップリンク制御情報を搬送する前記サブフレームにおける、前記アップリンク制御情報を搬送する前記シンボルを前記第１の情報に基づいて決定するよう構成される、
請求項１５から１９のいずれか一項に記載の装置。
【請求項２１】
前記ダウンリンク制御情報は第５の情報をさらに含み、前記第５の情報は、チャネル状態情報の報告を誘発するために使用され、前記アップリンク制御情報は前記チャネル状態情報である、
請求項１５から２０のいずれか一項に記載の装置。
【請求項２２】
情報伝送装置であって、
ダウンリンク制御情報を送信するよう構成される送受信ユニットであって、前記ダウンリンク制御情報は第１の情報を含み、前記第１の情報は、アップリンク制御情報を搬送するシンボルを示すために使用される、送受信ユニットと、
端末デバイスが送信した前記アップリンク制御情報を、前記アップリンク制御情報を搬送する前記シンボルにおいて、前記送受信ユニットを使用することによって受信するよう構成される処理ユニットと
を備える
装置。
【請求項２３】
前記アップリンク制御情報を搬送する前記シンボルは、前記アップリンク制御情報を搬送する開始シンボルである、
請求項２２に記載の装置。
【請求項２４】
前記ダウンリンク制御情報は第４の情報を含み、前記第４の情報は、前記アップリンク制御情報を搬送する終了シンボルを示すために使用される、
請求項２２または２３に記載の装置。
【請求項２５】
前記ダウンリンク制御情報は、ダウンリンク共有チャネル伝送をスケジューリングするために使用され、前記アップリンク制御情報は、前記ダウンリンク共有チャネル伝送に対応するハイブリッド自動再送要求である、
請求項２２から２４のいずれか一項に記載の装置。
【請求項２６】
前記ダウンリンク制御情報はサブフレームｎにおいて搬送され、前記ダウンリンク共有チャネル伝送はサブフレームｎ＋ｋ１において搬送され、前記アップリンク制御情報はサブフレームｎ＋ｋ１＋ｋ０において搬送され、ｋ１は、１より大きいかまたはそれに等しい整数であり、ｋ０は、０より大きいかまたはそれに等しい整数である、
請求項２５に記載の装置。
【請求項２７】
前記ダウンリンク制御情報は第２の情報をさらに含み、前記第２の情報は、前記アップリンク制御情報を搬送するサブフレームを示すために使用され、前記アップリンク制御情報を搬送する前記シンボルは、前記アップリンク制御情報を搬送する前記サブフレームにおけるシンボルである、
請求項２２から２６のいずれか一項に記載の装置。
【請求項２８】
前記ダウンリンク制御情報は第５の情報を含み、前記第５の情報は、チャネル状態情報の報告を誘発するために使用され、前記アップリンク制御情報は前記チャネル状態情報である、
請求項２２から２７のいずれか一項に記載の装置。
【請求項２９】
情報伝送装置であって、
ダウンリンク制御情報を受信するよう構成される送受信機であって、前記ダウンリンク制御情報は第１の情報を含み、前記第１の情報は、アップリンク制御情報を搬送するシンボルを示すために使用される、送受信機と、
前記アップリンク制御情報を搬送する前記シンボルを前記第１の情報に基づいて決定するよう構成されるプロセッサと
を備え、
前記プロセッサはさらに、前記アップリンク制御情報を搬送する前記シンボルに前記アップリンク制御情報をマッピングし、前記送受信機を使用することによって前記アップリンク制御情報をネットワークデバイスに送信するよう構成される、
装置。
【請求項３０】
情報伝送装置であって、
ダウンリンク制御情報を送信するよう構成される送受信機であって、前記ダウンリンク制御情報は第１の情報を含み、前記第１の情報は、アップリンク制御情報を搬送するシンボルを示すために使用される、送受信機と、
端末デバイスが送信した前記アップリンク制御情報を、前記アップリンク制御情報を搬送する前記シンボルにおいて、前記送受信機を使用することによって受信するよう構成されるプロセッサと
を備える
情報伝送装置。
【請求項３１】
プロセッサおよびメモリを備える通信装置であって、前記メモリはコンピュータ命令を記憶し、前記プロセッサが前記メモリに記憶された前記コンピュータ命令を実行することにより、前記通信装置は請求項１から７のいずれか一項に記載の方法、または請求項８から１４のいずれか一項に記載の方法を実装する、
通信装置。
【請求項３２】
コンピュータ記憶媒体であって、前記コンピュータ記憶媒体にコンピュータプログラムが記憶され、前記コンピュータプログラムをプロセッサが実行して請求項１から７のいずれか一項に記載の方法、または請求項８から１４のいずれか一項に記載の方法が実装される、
コンピュータ記憶媒体。
【請求項３３】
コンピュータに請求項１から７のいずれか一項に記載の方法、または請求項８から１４のいずれか一項に記載の方法を行わせるための
コンピュータプログラム。
【手続補正２】
【補正対象書類名】明細書
【補正対象項目名】００１６
【補正方法】変更
【補正の内容】
【００１６】
第１態様の第７の実装例に関連して、第１態様の第９の実装例において、ダウンリンク制御情報は、サブフレームｎにおいて搬送され、ダウンリンク共有チャネル伝送は、サブフレームｎ＋ｋ１において搬送され、アップリンク制御情報は、サブフレームｎ＋ｋ１＋ｋ０において搬送され、ここで、ｋ１は、１より大きいかまたはそれに等しい整数であり、ｋ０は、０より大きいかまたはそれに等しい整数であり、ｋ０の値は第２の情報に基づいて決定されてよく、ダウンリンク制御情報は第６の情報を含んでよく、第６の情報は、ｋ１の値を示すために使用されてよい。
【手続補正３】
【補正対象書類名】明細書
【補正対象項目名】００２７
【補正方法】変更
【補正の内容】
【００２７】
第２態様の第７の実装例に関連して、第２態様の第９の実装例において、ダウンリンク制御情報は、サブフレームｎにおいて搬送され、ダウンリンク共有チャネル伝送は、サブフレームｎ＋ｋ１において搬送され、アップリンク制御情報は、サブフレームｎ＋ｋ１＋ｋ０において搬送され、ここで、ｋ１は、１より大きいかまたはそれに等しい整数であり、ｋ０は、０より大きいかまたはそれに等しい整数であり、ｋ０の値は第２の情報に基づいて決定されてよく、ダウンリンク制御情報は第６の情報を含んでよく、第６の情報は、ｋ１の値を示すために使用されてよい。
【手続補正４】
【補正対象書類名】明細書
【補正対象項目名】００７０
【補正方法】変更
【補正の内容】
【００７０】
任意で、ダウンリンク制御情報はサブフレームｎにおいて搬送され、ダウンリンク共有チャネル伝送はサブフレームｎ＋ｋ１において搬送され、アップリンク制御情報は、サブフレームｎ＋ｋ１＋ｋ０において搬送される。ここで、ｋ１は、１より大きいかまたはそれに等しい整数であり、ｋ０は、０より大きいかまたはそれに等しい整数である。
【手続補正５】
【補正対象書類名】明細書
【補正対象項目名】００７７
【補正方法】変更
【補正の内容】
【００７７】
さらに任意で、ダウンリンク制御情報は第２の情報をさらに含み、第２の情報は、アップリンク制御情報を搬送するサブフレームを示すために使用される。具体的には、ダウンリンク制御情報がサブフレームｎにおいて搬送される場合、アップリンク制御情報は、サブフレームｎ＋ｋ０において搬送され、ｋ０は、０より大きいかまたはそれに等しい整数であり、ｋ０の値は、第２の情報に基づいて決定される。第２の情報は、アップリンク制御情報を搬送するサブフレームを示すために使用され、または、第２の情報は、アップリンク制御情報を搬送するサブフレームのサブフレーム番号を示すために使用されてよい。
【手続補正６】
【補正対象書類名】明細書
【補正対象項目名】００８８
【補正方法】変更
【補正の内容】
【００８８】
さらに任意で、ダウンリンク制御情報は、サブフレームｎにおいて搬送され、ダウンリンク共有チャネル伝送は、サブフレームｎ＋ｋ１において搬送され、アップリンク制御情報は、サブフレームｎ＋ｋ１＋ｋ０において搬送され、ここで、ｋ１は、１より大きいかまたはそれに等しい整数であり、ｋ０は、０より大きいかまたはそれに等しい整数であり、ｋ０の値は第２の情報に基づいて決定されてよく、ダウンリンク制御情報は第６の情報を含んでよく、第６の情報は、ｋ１の値を示すために使用されてよい。
【手続補正７】
【補正対象書類名】明細書
【補正対象項目名】０１１５
【補正方法】変更
【補正の内容】
【０１１５】
さらに任意で、ダウンリンク制御情報はサブフレームｎにおいて搬送され、ダウンリンク共有チャネル伝送は、サブフレームｎ＋ｋ１において搬送され、アップリンク制御情報は、サブフレームｎ＋ｋ１＋ｋ０において搬送される。ここで、ｋ１は、１より大きいかまたはそれに等しい整数であり、ｋ０は、０より大きいかまたはそれに等しい整数であり、ｋ０の値は、第２の情報に基づいて決定されてよく、ダウンリンク制御情報は第６の情報を含んでよく、第６の情報は、ｋ１の値を示すために使用される。
【手続補正８】
【補正対象書類名】明細書
【補正対象項目名】０１３４
【補正方法】変更
【補正の内容】
【０１３４】
任意で、ダウンリンク制御情報はサブフレームｎにおいて搬送され、ダウンリンク共有チャネル伝送はサブフレームｎ＋ｋ１において搬送され、アップリンク制御情報は、サブフレームｎ＋ｋ１＋ｋ０において搬送され、ｋ１は、１より大きいかまたはそれに等しい整数であり、ｋ０は、０より大きいかまたはそれに等しい整数である。
【手続補正９】
【補正対象書類名】明細書
【補正対象項目名】０１５８
【補正方法】変更
【補正の内容】
【０１５８】
情報伝送装置６００の組織構造の概略図を図９に示す。情報伝送装置６００は、処理ユニット６０２および送受信ユニット６０４を備える。動作中、処理ユニット６０２は、図３に示す情報伝送方法の段階３０２および段階３０３、ならびに段階３０２および段階３０３に係る任意選択の解決手段を行う。動作中、送受信ユニット６０４は、図３に示す情報伝送方法の段階３０１および段階３０１に係る任意選択の解決手段を行う。本出願のこの実施形態において、処理ユニット６０２は、図２に示すプロセッサ２０２によって実装されてもよく、送受信ユニット６０４は、図２に示す送受信機２０６によって実装されてもよいことに留意されたい。
【手続補正１０】
【補正対象書類名】明細書
【補正対象項目名】０１６１
【補正方法】変更
【補正の内容】
【０１６１】
情報伝送装置７００の組織構造の概略図を図１０に示す。情報伝送装置７００は、処理ユニット７０２および送受信ユニット７０４を備える。動作中、処理ユニット７０２は、図８に示す情報伝送方法の段階５０１および段階５０１に係る任意選択の解決手段を行う。動作中、送受信ユニット７０４は、図８に示す情報伝送方法の段階５０２および段階５０２に係る任意選択の解決手段を行う。本出願のこの実施形態において、処理ユニット７０２は、図７に示すプロセッサ４０２によって実装されてもよく、送受信ユニット７０４は、図７に示す送受信機４０６によって実装されてもよいことに留意されたい。
【手続補正１１】
【補正対象書類名】明細書
【補正対象項目名】０１６９
【補正方法】変更
【補正の内容】
【０１６９】
上述の実施形態は、本出願の技術的解決手段を説明することを意図しているに過ぎず、本出願を限定することを意図しているのではない。本出願が上述の実施形態に関連して詳細に説明されているが、当業者であれば、本出願の実施形態の技術的解決手段の趣旨および範囲から逸脱することなく、さらに、上述の実施形態において説明されている技術的解決手段に対して変更を加え、または、それらのいくつかの技術的特徴に対して等価な置き換えを行い得ることを理解されたい。
［項目１］
情報伝送方法であって、
端末デバイスが、ダウンリンク制御情報を受信する段階であって、上記ダウンリンク制御情報は第１の情報を含み、上記第１の情報は、アップリンク制御情報を搬送するシンボルを示すために使用される、段階と、
上記端末デバイスが、上記アップリンク制御情報を搬送する上記シンボルを上記第１の情報に基づいて決定する段階と、
上記端末デバイスが、上記アップリンク制御情報を搬送する上記シンボルに上記アップリンク制御情報をマッピングし、上記アップリンク制御情報をネットワークデバイスに送信する段階と
を備える
方法。
［項目２］
上記ダウンリンク制御情報は第２の情報をさらに含み、上記第２の情報は、上記アップリンク制御情報を搬送するサブフレームを示すために使用され、上記端末デバイスが、上記アップリンク制御情報を搬送する上記シンボルを上記第１の情報に基づいて決定する上記段階は、
上記端末デバイスが、上記アップリンク制御情報を搬送する上記サブフレームを上記第２の情報に基づいて決定する段階と、
上記端末デバイスが、上記アップリンク制御情報を搬送する上記サブフレームにおける、上記アップリンク制御情報を搬送する上記シンボルを上記第１の情報に基づいて決定する段階と
を有する、
項目１に記載の方法。
［項目３］
上記ダウンリンク制御情報は第３の情報をさらに含み、上記第３の情報は、上記アップリンク制御情報を搬送する上記シンボルにおける、上記アップリンク制御情報を搬送するアップリンク制御チャネルに対応する周波数領域リソースおよび／または符号リソースを示すために使用される、
項目１または２に記載の方法。
［項目４］
上記アップリンク制御情報を搬送する上記シンボルは、上記アップリンク制御情報を搬送する開始シンボルである、
項目１から３のいずれか一項に記載の方法。
［項目５］
上記ダウンリンク制御情報は第４の情報をさらに含み、上記第４の情報は、上記アップリンク制御情報を搬送する終了シンボルを示すために使用され、上記方法は、
上記端末デバイスが、上記アップリンク制御情報を搬送する上記終了シンボルを上記第４の情報に基づいて決定する段階をさらに備える、
項目１から４のいずれか一項に記載の方法。
［項目６］
上記第１の情報は２ビットの情報フィールドに対応しており、上記端末デバイスが、上記アップリンク制御情報を搬送する上記シンボルを上記第１の情報に基づいて決定する上記段階は、
上記第１の情報に対応する上記２ビットの情報フィールドが００である場合、上記端末デバイスが、上記アップリンク制御情報を搬送する上記シンボルは上記アップリンク制御情報を搬送する上記サブフレームにおける最後のシンボルであると決定する段階、
上記第１の情報に対応する上記２ビットの情報フィールドが０１である場合、上記端末デバイスが、上記アップリンク制御情報を搬送する上記シンボルは上記アップリンク制御情報を搬送する上記サブフレームにおける最後から２番目のシンボルであると決定する段階、
上記第１の情報に対応する上記２ビットの情報フィールドが１０である場合、上記端末デバイスが、上記アップリンク制御情報を搬送する上記シンボルは上記アップリンク制御情報を搬送する上記サブフレームにおける２番目のシンボルであると決定する段階、または、
上記第１の情報に対応する上記２ビットの情報フィールドが１１である場合、上記端末デバイスが、上記アップリンク制御情報を搬送する上記シンボルは上記アップリンク制御情報を搬送する上記サブフレームにおける３番目のシンボルであると決定する段階
を有する、
項目１から５のいずれか一項に記載の方法。
［項目７］
上記第１の情報は３ビットの情報フィールドに対応しており、上記アップリンク制御情報を搬送する上記サブフレームは７つのシンボルを含むか、または、
上記第１の情報は４ビットの情報フィールドに対応しており、上記アップリンク制御情報を搬送する上記サブフレームは１４個のシンボルを含む、
項目１から５のいずれか一項に記載の方法。
［項目８］
上記ダウンリンク制御情報は、ダウンリンク共有チャネル伝送をスケジューリングするために使用され、上記アップリンク制御情報は、上記ダウンリンク共有チャネル伝送に対応するハイブリッド自動再送要求である、
項目１から７のいずれか一項に記載の方法。
［項目９］
上記ダウンリンク制御情報を搬送するサブフレームは第４のサブフレームタイプであり、上記ダウンリンク共有チャネル伝送を搬送するサブフレームは第３のサブフレームタイプであり、上記第３のサブフレームタイプおよび上記第４のサブフレームタイプは共に、ダウンリンク伝送に使用されるシンボル、ガード期間、およびアップリンク伝送に使用されるシンボルを含む、
項目８に記載の方法。
［項目１０］
上記ダウンリンク制御情報はサブフレームｎにおいて搬送され、上記ダウンリンク共有チャネル伝送はサブフレームｎ＋ｋ１において搬送され、上記アップリンク制御情報はサブフレームｎ＋ｋ１＋ｋ０において搬送され、ｋ１は、１より大きいかまたはそれに等しい整数であり、ｋ０は、０より大きいかまたはそれに等しい整数である、
項目８に記載の方法。
［項目１１］
上記ダウンリンク制御情報は第５の情報をさらに含み、上記第５の情報は、チャネル状態情報の報告を誘発するために使用され、上記アップリンク制御情報は上記チャネル状態情報である、
項目１から７のいずれか一項に記載の方法。
［項目１２］
情報伝送方法であって
ネットワークデバイスが、ダウンリンク制御情報を送信する段階であって、上記ダウンリンク制御情報は第１の情報を含み、上記第１の情報は、アップリンク制御情報を搬送するシンボルを示すために使用される、段階と、
上記ネットワークデバイスが、端末デバイスが送信した上記アップリンク制御情報を、上記アップリンク制御情報を搬送する上記シンボルにおいて受信する段階と
を備える
方法。
［項目１３］
上記ダウンリンク制御情報は第２の情報をさらに含み、上記第２の情報は、上記アップリンク制御情報を搬送するサブフレームを示すために使用され、上記アップリンク制御情報を搬送する上記シンボルは、上記アップリンク制御情報を搬送する上記サブフレームにおけるシンボルである、
項目１２に記載の方法。
［項目１４］
上記ダウンリンク制御情報は第３の情報をさらに含み、上記第３の情報は、上記アップリンク制御情報を搬送する上記シンボルにおける、上記アップリンク制御情報を搬送するアップリンク制御チャネルに対応する周波数領域リソースおよび／または符号リソースを示すために使用される、
項目１２または１３に記載の方法。
［項目１５］
上記アップリンク制御情報を搬送する上記シンボルは、上記アップリンク制御情報を搬送する開始シンボルである、
項目１２から１４のいずれか一項に記載の方法。
［項目１６］
上記ダウンリンク制御情報は第４の情報を含み、上記第４の情報は、上記アップリンク制御情報を搬送する終了シンボルを示すために使用される、
項目１５に記載の方法。
［項目１７］
上記第１の情報は２ビットの情報フィールドに対応しており、
上記アップリンク制御情報を搬送する上記シンボルは、
上記第１の情報に対応する上記２ビットの情報フィールドが００である場合、上記アップリンク制御情報を搬送する上記シンボルは、上記アップリンク制御情報を搬送する上記サブフレームにおける最後のシンボルであり、
上記第１の情報に対応する上記２ビットの情報フィールドが０１である場合、上記アップリンク制御情報を搬送する上記シンボルは、上記アップリンク制御情報を搬送する上記サブフレームにおける最後のシンボルの前のシンボルであり、
上記第１の情報に対応する上記２ビットの情報フィールドが１０である場合、上記アップリンク制御情報を搬送する上記シンボルは、上記アップリンク制御情報を搬送する上記サブフレームにおける２番目のシンボルであり、または、
上記第１の情報に対応する上記２ビットの情報フィールドが１１である場合、上記アップリンク制御情報を搬送する上記シンボルは、上記アップリンク制御情報を搬送する上記サブフレームにおける３番目のシンボルである、
項目１２から１６のいずれか一項に記載の方法。
［項目１８］
上記第１の情報は３ビットの情報フィールドに対応しており、上記アップリンク制御情報を搬送する上記サブフレームは７つのシンボルを含むか、または、
上記第１の情報は４ビットの情報フィールドに対応しており、上記アップリンク制御情報を搬送する上記サブフレームは１４個のシンボルを含む、
項目１２から１６のいずれか一項に記載の方法。
［項目１９］
上記ダウンリンク制御情報は、ダウンリンク共有チャネル伝送をスケジューリングするために使用され、上記アップリンク制御情報は、上記ダウンリンク共有チャネル伝送に対応するハイブリッド自動再送要求である、
項目１２から１８のいずれか一項に記載の方法。
［項目２０］
上記ダウンリンク制御情報を搬送するサブフレームは第４のサブフレームタイプであり、上記ダウンリンク共有チャネル伝送を搬送するサブフレームは第３のサブフレームタイプであり、上記第３のサブフレームタイプおよび上記第４のサブフレームタイプは共に、ダウンリンク伝送に使用されるシンボル、ガード期間、およびアップリンク伝送に使用されるシンボルを含む、
項目１９に記載の方法。
［項目２１］
上記ダウンリンク制御情報はサブフレームｎにおいて搬送され、上記ダウンリンク共有チャネル伝送はサブフレームｎ＋ｋ１において搬送され、上記アップリンク制御情報はサブフレームｎ＋ｋ１＋ｋ０において搬送され、ｋ１は、１より大きいかまたはそれに等しい整数であり、ｋ０は、０より大きいかまたはそれに等しい整数である、
項目１９に記載の方法。
［項目２２］
上記ダウンリンク制御情報は第５の情報を含み、上記第５の情報は、チャネル状態情報の報告を誘発するために使用され、上記アップリンク制御情報は上記チャネル状態情報である、
項目１２から１８のいずれか一項に記載の方法。
［項目２３］
情報伝送装置であって、
ダウンリンク制御情報を受信するよう構成される送受信ユニットであって、上記ダウンリンク制御情報は第１の情報を含み、上記第１の情報は、アップリンク制御情報を搬送するシンボルを示すために使用される、送受信ユニットと、
上記アップリンク制御情報を搬送する上記シンボルを上記第１の情報に基づいて決定するよう構成される処理ユニットと
を備え、
上記処理ユニットはさらに、上記アップリンク制御情報を搬送する上記シンボルに上記アップリンク制御情報をマッピングし、上記送受信ユニットを使用することによって上記アップリンク制御情報をネットワークデバイスに送信するよう構成される、
装置。
［項目２４］
上記ダウンリンク制御情報は第２の情報をさらに含み、上記第２の情報は、上記アップリンク制御情報を搬送するサブフレームを示すために使用され、上記処理ユニットが、上記アップリンク制御情報を搬送する上記シンボルを上記第１の情報に基づいて決定するよう構成されることは、
上記処理ユニットが、上記アップリンク制御情報を搬送する上記サブフレームを上記第２の情報に基づいて決定し、
上記アップリンク制御情報を搬送する上記サブフレームにおける、上記アップリンク制御情報を搬送する上記シンボルを上記第１の情報に基づいて決定するよう構成されることを含む、
項目２３に記載の装置。
［項目２５］
上記ダウンリンク制御情報は第３の情報をさらに含み、上記第３の情報は、上記アップリンク制御情報を搬送する上記シンボルにおける、上記アップリンク制御情報を搬送するアップリンク制御チャネルに対応する周波数領域リソースおよび／または符号リソースを示すために使用される、
項目２３または２４に記載の装置。
［項目２６］
上記アップリンク制御情報を搬送する上記シンボルは、上記アップリンク制御情報を搬送する開始シンボルである、
項目２３から２５のいずれか一項に記載の装置。
［項目２７］
上記ダウンリンク制御情報は第４の情報をさらに含み、上記第４の情報は、上記アップリンク制御情報を搬送する終了シンボルを示すために使用され、上記処理ユニットはさらに、
上記アップリンク制御情報を搬送する上記終了シンボルを上記第４の情報に基づいて決定するよう構成される、
項目２３から２６のいずれか一項に記載の装置。
［項目２８］
上記第１の情報は２ビットの情報フィールドに対応しており、上記処理ユニットが、上記アップリンク制御情報を搬送する上記シンボルを上記第１の情報に基づいて決定するよう構成されることは、
上記処理ユニットが、
上記第１の情報に対応する上記２ビットの情報フィールドが００である場合、上記アップリンク制御情報を搬送する上記シンボルは上記アップリンク制御情報を搬送する上記サブフレームにおける最後のシンボルであると決定し、
上記第１の情報に対応する上記２ビットの情報フィールドが０１である場合、上記アップリンク制御情報を搬送する上記シンボルは上記アップリンク制御情報を搬送する上記サブフレームにおける最後から２番目のシンボルであると決定し、
上記第１の情報に対応する上記２ビットの情報フィールドが１０である場合、上記アップリンク制御情報を搬送する上記シンボルは上記アップリンク制御情報を搬送する上記サブフレームにおける２番目のシンボルであると決定し、または、
上記第１の情報に対応する上記２ビットの情報フィールドが１１である場合、上記アップリンク制御情報を搬送する上記シンボルは上記アップリンク制御情報を搬送する上記サブフレームにおける３番目のシンボルであると決定するよう構成されることを含む、
項目２３から２７のいずれか一項に記載の装置。
［項目２９］
上記第１の情報は３ビットの情報フィールドに対応しており、上記アップリンク制御情報を搬送する上記サブフレームは７つのシンボルを含むか、または、
上記第１の情報は４ビットの情報フィールドに対応しており、上記アップリンク制御情報を搬送する上記サブフレームは、１４個のシンボルを含む、
項目２３から２７のいずれか一項に記載の装置。
［項目３０］
上記ダウンリンク制御情報は、ダウンリンク共有チャネル伝送をスケジューリングするために使用され、上記アップリンク制御情報は、上記ダウンリンク共有チャネル伝送に対応するハイブリッド自動再送要求である、
項目２３から２９のいずれか一項に記載の装置。
［項目３１］
上記ダウンリンク制御情報を搬送するサブフレームは第４のサブフレームタイプであり、上記ダウンリンク共有チャネル伝送を搬送するサブフレームは第３のサブフレームタイプであり、上記第３のサブフレームタイプおよび上記第４のサブフレームタイプは共に、ダウンリンク伝送に使用されるシンボル、ガード期間、およびアップリンク伝送に使用されるシンボルを含む、
項目３０に記載の装置。
［項目３２］
上記ダウンリンク制御情報はサブフレームｎにおいて搬送され、上記ダウンリンク共有チャネル伝送はサブフレームｎ＋ｋ１において搬送され、上記アップリンク制御情報はサブフレームｎ＋ｋ１＋ｋ０において搬送され、ｋ１は、１より大きいかまたはそれに等しい整数であり、ｋ０は、０より大きいかまたはそれに等しい整数である、
項目３０に記載の装置。
［項目３３］
上記ダウンリンク制御情報は第５の情報をさらに含み、上記第５の情報は、チャネル状態情報の報告を誘発するために使用され、上記アップリンク制御情報は上記チャネル状態情報である、
項目２３から２９のいずれか一項に記載の装置。
［項目３４］
情報伝送装置であって、
ダウンリンク制御情報を送信するよう構成される送受信ユニットであって、上記ダウンリンク制御情報は第１の情報を含み、上記第１の情報は、アップリンク制御情報を搬送するシンボルを示すために使用される、送受信ユニットと、
端末デバイスが送信した上記アップリンク制御情報を、上記アップリンク制御情報を搬送する上記シンボルにおいて、上記送受信ユニットを使用することによって受信するよう構成される処理ユニットと
を備える
装置。
［項目３５］
上記ダウンリンク制御情報は第２の情報をさらに含み、上記第２の情報は、上記アップリンク制御情報を搬送するサブフレームを示すために使用され、上記アップリンク制御情報を搬送する上記シンボルは、上記アップリンク制御情報を搬送する上記サブフレームにおけるシンボルである、
項目３４に記載の装置。
［項目３６］
上記ダウンリンク制御情報は第３の情報をさらに含み、上記第３の情報は、上記アップリンク制御情報を搬送する上記シンボルにおける、上記アップリンク制御情報を搬送するアップリンク制御チャネルに対応する周波数領域リソースおよび／または符号リソースを示すために使用される、
項目３４または３５に記載の装置。
［項目３７］
上記アップリンク制御情報を搬送する上記シンボルは、上記アップリンク制御情報を搬送する開始シンボルである、
項目３４から３６のいずれか一項に記載の装置。
［項目３８］
上記ダウンリンク制御情報は第４の情報を含み、上記第４の情報は、上記アップリンク制御情報を搬送する終了シンボルを示すために使用される、
項目３７に記載の装置。
［項目３９］
上記第１の情報は２ビットの情報フィールドに対応しており、
上記アップリンク制御情報を搬送する上記シンボルは、
上記第１の情報に対応する上記２ビットの情報フィールドが００である場合、上記アップリンク制御情報を搬送する上記シンボルは、上記アップリンク制御情報を搬送する上記サブフレームにおける最後のシンボルであり、
上記第１の情報に対応する上記２ビットの情報フィールドが０１である場合、上記アップリンク制御情報を搬送する上記シンボルは、上記アップリンク制御情報を搬送する上記サブフレームにおける最後のシンボルの前のシンボルであり、
上記第１の情報に対応する上記２ビットの情報フィールドが１０である場合、上記アップリンク制御情報を搬送する上記シンボルは、上記アップリンク制御情報を搬送する上記サブフレームにおける２番目のシンボルであり、または、
上記第１の情報に対応する上記２ビットの情報フィールドが１１である場合、上記アップリンク制御情報を搬送する上記シンボルは、上記アップリンク制御情報を搬送する上記サブフレームにおける３番目のシンボルである、
項目３６から３８のいずれか一項に記載の装置。
［項目４０］
上記第１の情報は３ビットの情報フィールドに対応しており、上記アップリンク制御情報を搬送する上記サブフレームは７つのシンボルを含むか、または、
上記第１の情報は４ビットの情報フィールドに対応しており、上記アップリンク制御情報を搬送する上記サブフレームは１４個のシンボルを含む、
項目３４から３８のいずれか一項に記載の装置。
［項目４１］
上記ダウンリンク制御情報は、ダウンリンク共有チャネル伝送をスケジューリングするために使用され、上記アップリンク制御情報は、上記ダウンリンク共有チャネル伝送に対応するハイブリッド自動再送要求である、
項目３６から４０のいずれか一項に記載の装置。
［項目４２］
上記ダウンリンク制御情報を搬送するサブフレームは第４のサブフレームタイプであり、上記ダウンリンク共有チャネル伝送を搬送するサブフレームは第３のサブフレームタイプであり、上記第３のサブフレームタイプおよび上記第４のサブフレームタイプは共に、ダウンリンク伝送に使用されるシンボル、ガード期間、およびアップリンク伝送に使用されるシンボルを含む、
項目４１に記載の装置。
［項目４３］
上記ダウンリンク制御情報はサブフレームｎにおいて搬送され、上記ダウンリンク共有チャネル伝送はサブフレームｎ＋ｋ１において搬送され、上記アップリンク制御情報は、サブフレームｎ＋ｋ１＋ｋ０において搬送され、ｋ１は、１より大きいかまたはそれに等しい整数であり、ｋ０は、０より大きいかまたはそれに等しい整数である、
項目４１に記載の装置。
［項目４４］
上記ダウンリンク制御情報は第５の情報を含み、上記第５の情報は、チャネル状態情報の報告を誘発するために使用され、上記アップリンク制御情報は上記チャネル状態情報である、
項目３４から４１のいずれか一項に記載の装置。
［項目４５］
プロセッサおよびメモリを備える通信装置であって、上記メモリはコンピュータ命令を記憶し、上記プロセッサが上記メモリに記憶された上記コンピュータ命令を実行することにより、上記装置は項目１から２２のいずれか一項に記載の方法を実装する、
通信装置。
［項目４６］
コンピュータ記憶媒体であって、上記コンピュータ記憶媒体にコンピュータプログラムが記憶され、上記プログラムをプロセッサが実行して項目１から２２のいずれか一項に記載の方法が実装される、
コンピュータ記憶媒体。
［項目４７］
命令を含むコンピュータプログラム製品であって、上記命令がコンピュータ上で実行されたとき、上記コンピュータは項目１から２２のいずれか一項に記載の方法を行う、
コンピュータプログラム製品。
【国際調査報告】
2019527971.tif 000013
2019527971.tif 000014
2019527971.tif 000015
2019527971.tif 000016